(57)【要約】  通信の高速化を実現可能な無線通信システムを提供することを目的とする。受信装置が、ＳＣＥＬＬ上のＰＲＡＣＨでＭｓｇ１を送信するＲＡ管理部（３１）と、前記ＰＲＡＣＨの前後においてＰＣＥＬＬ上のＰＵＣＣＨでＤ−ＳＲを送信するＤ−ＳＲ管理部（３２）と、を有し、送信装置が、前記Ｍｓｇ１を受信するＲＡ管理部と、前記Ｄ−ＳＲを受信するＤ−ＳＲ管理部と、を有し、ＲＡ管理部が、スケジューリングリクエストとプリアンブルを関連付けることにより受信装置を識別する。
2012077237.tif 000002
【特許請求の範囲】
【請求項１】
複数の無線キャリアを使用して無線通信を行う無線通信システムにおいて、
受信装置が、
第１の無線チャネルのランダムアクセスチャネルでプリアンブルを送信する第１のランダムアクセス管理部と、
前記ランダムアクセスチャネルの前後において、第２の無線チャネルの制御チャネルでスケジューリングリクエストを送信する第１のスケジューリングリクエスト管理部と、
を有し、
送信装置が、
前記プリアンブルを受信する第２のランダムアクセス管理部と、
前記スケジューリングリクエストを受信する第２のスケジューリングリクエスト管理部と、
を有し、
前記第２のランダムアクセス管理部が、受信したスケジューリングリクエストとプリアンブルを関連付けることにより受信装置を識別する、
ことを特徴とする無線通信システム。
【請求項２】
前記第２のランダムアクセス管理部は、受信装置を識別する場合に、スケジューリングリクエストを送信した受信装置がプリアンブルを送信した受信装置であると判定する、
ことを特徴とする請求項１に記載の無線通信システム。
【請求項３】
前記第１のスケジューリングリクエスト管理部は、前記プリアンブルが送信されたランダムアクセスチャネルの近傍の制御チャネルでスケジューリングリクエストを送信する、
ことを特徴とする請求項１に記載の無線通信システム。
【請求項４】
前記第２のランダムアクセス管理部は、
前記第１のランダムアクセス管理部がプリアンブルを送信するためのトリガとなる制御信号を、所定のアドレス情報でマスクして送信し、
前記第１のスケジューリングリクエスト管理部は、前記アドレス情報に基づいて、プリアンブルが送信されたランダムアクセスチャネルの近傍の制御チャネルでスケジューリングリクエストを送信するか否かを判断する、
ことを特徴とする請求項３に記載の無線通信システム。
【請求項５】
前記送信装置は、さらに、
装置間の同期を確保するための同期信号を、前記識別した受信装置の識別情報でマスクして送信するタイミング管理部、
を有する、
ことを特徴とする請求項１に記載の無線通信システム。
【請求項６】
前記第２のランダムアクセス管理部は、
前記第１のランダムアクセス管理部がプリアンブルを送信するためのトリガとなる制御信号を送信し、その後、前記ランダムアクセスチャネルで複数のプリアンブルを受信した場合に、再度、当該制御信号を送信する、
ことを特徴とする請求項１に記載の無線通信システム。
【請求項７】
前記第２のランダムアクセス管理部は、
前記第１のランダムアクセス管理部がプリアンブルを送信するためのトリガとなる制御信号を送信し、その後、前記ランダムアクセスチャネルで複数のプリアンブルを受信した場合に、スケジューリングリクエストとプリアンブルを関連付けることができなかった旨を示す情報を含む応答信号を送信する、
ことを特徴とする請求項１に記載の無線通信システム。
【請求項８】
前記第２のランダムアクセス管理部は、
前記第１のランダムアクセス管理部がプリアンブルを送信するためのトリガとなる制御信号を送信し、その後、前記第２のスケジューリングリクエスト管理部がスケジューリングリクエストの受信に失敗した場合に、再度、当該制御信号を送信する、
ことを特徴とする請求項１に記載の無線通信システム。
【請求項９】
前記第２のランダムアクセス管理部は、
前記第１のランダムアクセス管理部がプリアンブルを送信するためのトリガとなる制御信号を送信し、その後、前記第２のスケジューリングリクエスト管理部がスケジューリングリクエストの受信に失敗した場合に、スケジューリングリクエストとプリアンブルを関連付けることができなかった旨を示す情報を含む応答信号を送信する、
ことを特徴とする請求項１に記載の無線通信システム。
【請求項１０】
前記第２のランダムアクセス管理部は、
前記第１のランダムアクセス管理部がプリアンブルを送信するためのトリガとなる制御信号を送信し、その後、プリアンブルの受信に失敗した場合に、再度、当該制御信号を送信する、
ことを特徴とする請求項１に記載の無線通信システム。
【請求項１１】
前記送信装置は、さらに、
装置間の同期を確保するための同期信号を、前記識別した受信装置の識別情報でマスクして送信するタイミング管理部、
を有し、
前記タイミング管理部は、サウンディングリファレンス信号に基づいて前記同期信号を生成可能とする、
ことを特徴とする請求項１に記載の無線通信システム。
【請求項１２】
前記第１のスケジューリングリクエスト管理部が、プリアンブルが送信されたランダムアクセスチャネルの前後でスケジューリングリクエストを送信する場合において、
前記第１のランダムアクセス管理部は、前記第１の無線チャネルに設定された専用のランダムアクセスチャネルでプリアンブルを送信する、
ことを特徴とする請求項１に記載の無線通信システム。
【請求項１３】
前記第１のスケジューリングリクエスト管理部が、プリアンブルが送信されたランダムアクセスチャネルの前後でスケジューリングリクエストを送信する場合において、
前記第１のランダムアクセス管理部は、前記第１の無線チャネルのランダムアクセスチャネルで、指定された１つ以上のプリアンブルからプリアンブルを選択して送信する、
ことを特徴とする請求項１に記載の無線通信システム。
【請求項１４】
前記第１のスケジューリングリクエスト管理部は、前記第１のランダムアクセス管理部が送信するプリアンブルの情報を含むスケジューリングリクエストを送信する、
ことを特徴とする請求項１に記載の無線通信システム。
【請求項１５】
キャリアアグリゲーションにより無線通信を行う場合、
前記第１の無線チャネルをセカンダリセルとし、
前記第２の無線チャネルをプライマリーセルとする、
ことを特徴とする請求項１〜１４のいずれか１つに記載の無線通信システム。
【請求項１６】
複数の無線キャリアを使用してデータを受信する受信装置において、
第１の無線チャネルのランダムアクセスチャネルでプリアンブルを送信するランダムアクセス管理部と、
前記ランダムアクセスチャネルの前後において、第２の無線チャネルの制御チャネルでスケジューリングリクエストを送信するスケジューリングリクエスト管理部と、
を有する、
ことを特徴とする受信装置。
【請求項１７】
前記スケジューリングリクエスト管理部は、前記プリアンブルが送信されたランダムアクセスチャネルの近傍の制御チャネルでスケジューリングリクエストを送信する、
ことを特徴とする請求項１６に記載の受信装置。
【請求項１８】
プリアンブルを送信するためのトリガとなる制御信号であって、プリアンブルが送信されたランダムアクセスチャネルの近傍の制御チャネルでスケジューリングリクエストを送信するか否かを示す情報である所定のアドレス情報でマスクされた制御信号、を受信した場合に、
前記スケジューリングリクエスト管理部は、前記アドレス情報に基づいて、プリアンブルが送信されたランダムアクセスチャネルの近傍の制御チャネルでスケジューリングリクエストを送信するか否かを判断する、
ことを特徴とする請求項１７に記載の受信装置。
【請求項１９】
前記スケジューリングリクエスト管理部が、プリアンブルが送信されたランダムアクセスチャネルの前後でスケジューリングリクエストを送信する場合において、
前記ランダムアクセス管理部は、前記第１の無線チャネルに設定された専用のランダムアクセスチャネルでプリアンブルを送信する、
ことを特徴とする請求項１６に記載の受信装置。
【請求項２０】
前記スケジューリングリクエスト管理部が、プリアンブルが送信されたランダムアクセスチャネルの前後でスケジューリングリクエストを送信する場合において、
前記ランダムアクセス管理部は、前記第１の無線チャネルのランダムアクセスチャネルで、指定された１つ以上のプリアンブルからプリアンブルを選択して送信する、
ことを特徴とする請求項１６に記載の受信装置。
【請求項２１】
前記スケジューリングリクエスト管理部は、前記ランダムアクセス管理部が送信するプリアンブルの情報を含むスケジューリングリクエストを送信する、
ことを特徴とする請求項１６に記載の受信装置。
【請求項２２】
キャリアアグリゲーションにより無線通信を行う場合、
前記第１の無線チャネルをセカンダリセルとし、
前記第２の無線チャネルをプライマリーセルとする、
ことを特徴とする請求項１６〜２１のいずれか１つに記載の受信装置。
【請求項２３】
複数の無線キャリアを使用してデータを送信する送信装置において、
第１の無線チャネルのランダムアクセスチャネルでプリアンブルを受信するランダムアクセス管理部と、
前記ランダムアクセスチャネルの前後において、第２の無線チャネルの制御チャネルでスケジューリングリクエストを受信するスケジューリングリクエスト管理部と、
を有し、
前記ランダムアクセス管理部が、受信したスケジューリングリクエストとプリアンブルを関連付けることにより受信装置を識別する、
ことを特徴とする送信装置。
【請求項２４】
前記第ランダムアクセス管理部は、受信装置を識別する場合に、スケジューリングリクエストを送信した受信装置がプリアンブルを送信した受信装置であると判定する、
ことを特徴とする請求項２３に記載の送信装置。
【請求項２５】
複数の無線キャリアを使用して無線通信を行う無線通信システムにおける無線通信方法であって、
受信装置が、第１の無線チャネルのランダムアクセスチャネルでプリアンブルを送信し、
前記受信装置が、前記ランダムアクセスチャネルの前後において、第２の無線チャネルの制御チャネルでスケジューリングリクエストを送信し、
送信装置が、前記プリアンブルを受信し、
前記送信装置が、前記スケジューリングリクエストを受信し、当該スケジューリングリクエストと前記プリアンブルを関連付けることにより受信装置を識別する、
ことを特徴とする無線通信方法。
【発明の詳細な説明】
【技術分野】
【０００１】
本発明は、複数の周波数キャリアを使用して通信可能な無線通信システムに関する。
【背景技術】
【０００２】
従来の無線通信方法の１つとして、ランダムアクセスによるデータ送信がある。たとえば、移動体通信システムにおいて、移動局は、上りデータが発生すると、ＰＲＡＣＨ（Physical  Random  Access  Channel）を用いたランダムアクセスを実行し、上り送信許可を基地局に要求する。ランダムアクセスでは、複数の移動局が同じＰＲＡＣＨ上で同じプリアンブルＩＤを送信した場合には競合が発生する。競合が発生した場合、基地局はＰＲＡＣＨの検出に不具合をきたし、最終的にどの移動局がランダムアクセスを実行したのか検出できなくなる。以下、このようなランダムアクセスを競合型ランダムアクセス（Contention-based  Random  Access）と呼ぶ。【０００３】
ここで、従来の競合型ランダムアクセスの動作を簡単に説明する。たとえば、上りデータが発生すると、移動局では、ランダムアクセスを開始し、ＰＲＡＣＨ上で送信するＭｓｇ１で、ランダムに選択したプリアンブルＩＤを基地局に送信する。ここでは、複数の移動局が同じＰＲＡＣＨ上で同じプリアンブルＩＤを送信する場合が想定され、この場合には競合が発生する。つぎに、基地局は、Ｍｓｇ２で、上り通信のための同期信号や送信許可等とともにＭｓｇ１に対する応答を返信する。移動局は、このＭｓｇ２で上り同期タイミングを取得する。つぎに、移動局は、Ｍｓｇ３で、自局の識別子等を送信する。つぎに、基地局は、Ｍｓｇ４で、競合の解決を行う。すなわち、移動局の識別子が検出できた場合、その移動局に対しＭｓｇ４を送信することにより、その移動局が競合に勝ったことを通知する。そして、移動局では、上記Ｍｓｇ１〜Ｍｓｇ４のやりとりの後、基地局とのデータ送受信を開始する。【０００４】
また、ランダムアクセスとしては、上記競合型ランダムアクセスのほかに、非競合型ランダムアクセス（Contention-free  Random  Access）がある。基地局では、特定の移動局宛ての下りデータが発生すると、その移動局との上り同期が取れていなければ、上り同期を確保するためにその移動局に非競合型ランダムアクセスを実行させ、上り同期タイミングを調整する。【０００５】
具体的には、まず基地局が、Ｍｓｇ０で、上記特定の移動局に対し個別のプリアンブルＩＤを割り当てる。つぎに、移動局は、ＰＲＡＣＨ上で送信するＭｓｇ１で、割り当てられた個別のプリアンブルＩＤを用いてランダムアクセスを開始する。つぎに、基地局は、Ｍｓｇ２で、上り通信のための同期信号や送信許可等とともにＭｓｇ１に対する応答を返信する。移動局は、このＭｓｇ２で上り同期タイミングを取得する。そして、基地局では、上記Ｍｓｇ１，Ｍｓｇ２のやりとりの後、移動局とのデータ送受信を開始する。なお、Ｍｓｇ１は、Ｍｓｇ０を受信したサブフレームの直近のＰＲＡＣＨで送信することが規定されている。
【先行技術文献】
【非特許文献】
【０００６】
【非特許文献１】3GPP  TS36.300，“Evolved  Universal  Terrestrial  Radio  Access（E-UTRA）  and  Evolved  Universal  Terrestrial  Radio  Access  Network（E-UTRAN）”，V10.0.0，Release  10，June  2010．
【非特許文献２】3GPP  TS36.321，“Medium  Access  Control（MAC）  protocol  specification”，V9.3.0，Release  9，June  2010．
【発明の概要】
【発明が解決しようとする課題】
【０００７】
しかしながら、前述した非競合型ランダムアクセスでは、Ｍｓｇ０で使用する個別プリアンブルＩＤが不足する場合が想定される。たとえば、基地局のセルにおいて多数の移動局がハンドオーバを実施している場合等である。ハンドオーバでは、Ｍｓｇ０で個別プリアンブルＩＤを割り当て、移動先基地局でランダムアクセスを実施し、上り同期タイミングを高速に確保する。そのため、多数の移動局がハンドオーバを実施している場合には、多くの個別プリアンブルＩＤが利用されることになる。この場合、基地局は、個別プリアンブルＩＤの不足により非競合型ランダムアクセスを移動局に実行させることができないため、Ｍｓｇ０で、空のプリアンブルＩＤ（具体的には「００００００」）を送信する。そのため、このＭｓｇ０を受信した移動局では、その後、個別プリアンブルＩＤを用いた非競合型ランダムアクセス（Ｍｓｇ１，Ｍｓｇ２）ではなく、前述した「競合型ランダムアクセス（Ｍｓｇ１〜Ｍｓｇ４）」を実行することになる。【０００８】
すなわち、基地局において個別プリアンブルＩＤが不足する場合には、前述した非競合型ランダムアクセス法と比較して、Ｍｓｇ３およびＭｓｇ４の送受信に要する時間分だけ処理時間が増大する、という問題があった。【０００９】
開示の技術は、上記に鑑みてなされたものであって、通信の高速化を実現可能な無線通信システムを提供することを目的とする。
【課題を解決するための手段】
【００１０】
本願の開示する無線通信システムは、複数の無線キャリアを使用して無線通信を行う無線通信システムであって、受信装置が、第１の無線チャネルのランダムアクセスチャネルでプリアンブルを送信する第１のランダムアクセス管理部と、前記ランダムアクセスチャネルの前後において、第２の無線チャネルの制御チャネルでスケジューリングリクエストを送信する第１のスケジューリングリクエスト管理部と、を有し、送信装置が、前記プリアンブルを受信する第２のランダムアクセス管理部と、前記スケジューリングリクエストを受信する第２のスケジューリングリクエスト管理部と、を有し、前記第２のランダムアクセス管理部が、受信したスケジューリングリクエストとプリアンブルを関連付けることにより受信装置を識別する。
【発明の効果】
【００１１】
本願の開示する無線通信システムの一つの態様によれば、通信の高速化を実現することができる、という効果を奏する。
【図面の簡単な説明】
【００１２】
【図１】図１は、無線通信システムにおける移動局（受信装置）の構成例を示す図である。
【図２】図２は、無線通信システムにおける基地局（送信装置）の構成例を示す図である。
【図３】図３は、キャリアアグリゲーションを示す図である。
【図４】図４は、キャリアアグリゲーションを採用する無線通信システムにおけるデータ送受信の様子を示す図である。
【図５】図５は、競合型ランダムアクセス法の一例を示す図である。
【図６】図６は、非競合型ランダムアクセス法の一例を示す図である。
【図７】図７は、スケジューリングリクエスト法の一例を示す図である。
【図８】図８は、ＳＣｅｌｌで競合型ランダムアクセス法を実行する場合の一例を示す図である。
【図９】図９は、実施例１の無線通信方法の一例を示す図である。
【図１０】図１０は、実施例１の無線通信方法の効果を示す図である。
【図１１】図１１は、パラメータＴの値を通知する動作を示す図である。
【図１２】図１２は、専用のシグナリングの一例を示す図である。
【図１３】図１３は、専用のシグナリングの一例を示す図である。
【図１４】図１４は、Ｍｓｇ２の代わりにTA  commandを送信する場合の一例を示す図である。
【図１５】図１５は、移動局（受信装置）の実施例１の動作を示すフローチャートである。
【図１６】図１６は、基地局（送信装置）の実施例１の動作を示すフローチャートである。
【図１７】図１７は、複数のＤ−ＳＲを受信した場合の一例を示す図である。
【図１８】図１８は、複数のＤ−ＳＲを受信した場合の基地局（送信装置）の動作を示すフローチャートである。
【図１９】図１９は、移動局（受信装置）の実施例２の動作を示すフローチャートである。
【図２０】図２０は、基地局（送信装置）の実施例２の動作を示すフローチャートである。
【図２１】図２１は、実施例３の無線通信方法の一例を示す図である。
【図２２】図２２は、実施例３の無線通信方法の一例を示す図である。
【図２３】図２３は、ＰＤＵの一例を示す図である。
【図２４】図２４は、移動局（受信装置）における実施例３の第１の無線通信方法の動作を示すフローチャートである。
【図２５】図２５は、基地局（送信装置）における実施例３の第１の無線通信方法の動作を示すフローチャートである。
【図２６】図２６は、移動局（受信装置）における実施例３の第２の無線通信方法（Ｒビット判定）の動作を示すフローチャートである。
【図２７】図２７は、基地局（送信装置）における実施例３の第２の無線通信方法（Ｒビット判定）の動作を示すフローチャートである。
【図２８】図２８は、移動局（受信装置）における実施例３の第２の無線通信方法（TA  command判定）の動作を示すフローチャートである。
【図２９】図２９は、基地局（送信装置）における実施例３の第２の無線通信方法（TA  command判定）の動作を示すフローチャートである。
【図３０】図３０は、実施例４の無線通信方法の一例を示す図である。
【図３１】図３１は、実施例４の無線通信方法の一例を示す図である。
【図３２】図３２は、基地局（送信装置）における実施例４の無線通信方法（Ｒビット判定）の動作を示すフローチャートである。
【図３３】図３３は、基地局（送信装置）における実施例４の無線通信方法（TA  command判定）の動作を示すフローチャートである。
【図３４】図３４は、実施例５の無線通信方法の一例を示す図である。
【図３５】図３５は、移動局（受信装置）における実施例５の無線通信方法の動作を示すフローチャートである。
【図３６】図３６は、基地局（送信装置）における実施例５の無線通信方法の動作を示すフローチャートである。
【図３７】図３７は、実施例６の無線通信方法の一例を示す図である。
【図３８】図３８は、実施例６の無線通信方法の一例を示す図である。
【図３９】図３９は、実施例６の無線通信方法の一例を示す図である。
【図４０】図４０は、移動局（受信装置）における実施例６の無線通信方法（第１の上り同期補正方法）の動作を示すフローチャートである。
【図４１】図４１は、基地局（送信装置）における実施例６の無線通信方法（第１の上り同期補正方法）の動作を示すフローチャートである。
【図４２】図４２は、移動局（受信装置）における実施例６の無線通信方法（第２の上り同期補正方法）の動作を示すフローチャートである。
【図４３】図４３は、基地局（送信装置）における実施例６の無線通信方法（第２の上り同期補正方法）の動作を示すフローチャートである。
【図４４】図４４は、移動局（受信装置）における実施例６の無線通信方法（第３の上り同期補正方法）の動作を示すフローチャートである。
【図４５】図４５は、基地局（送信装置）における実施例６の無線通信方法（第３の上り同期補正方法）の動作を示すフローチャートである。
【図４６】図４６は、実施例７の無線通信方法の一例を示す図である。
【図４７】図４７は、専用のシグナリングの一例を示す図である。
【図４８】図４８は、専用のシグナリングの一例を示す図である。
【図４９】図４９は、移動局（受信装置）における実施例７の無線通信方法の動作を示すフローチャートである。
【図５０】図５０は、基地局（送信装置）における実施例７の無線通信方法の動作を示すフローチャートである。
【図５１】図５１は、実施例８の無線通信方法の一例を示す図である。
【図５２】図５２は、専用のシグナリングの一例を示す図である。
【図５３】図５３は、専用のシグナリングの一例を示す図である。
【図５４】図５４は、移動局（受信装置）における実施例８の無線通信方法の動作を示すフローチャートである。
【図５５】図５５は、基地局（送信装置）における実施例８の無線通信方法の動作を示すフローチャートである。
【発明を実施するための形態】
【００１３】
以下に、本願の開示する無線通信システムの実施例を図面に基づいて詳細に説明する。なお、この実施例によりこの発明が限定されるものではない。
【実施例１】
【００１４】
図１は、無線通信システムにおける移動局（受信装置）の構成例を示す図であり、図２は、無線通信システムにおける基地局（送信装置）の構成例を示す図である。【００１５】
図１において、移動局は、送受信部１１と上り送信部１２と、制御プレーン部２０およびデータプレーン部３０を含む制御部１３と、アンテナ１４を有する。送受信部１１は、無線伝送される信号を、アンテナ１４を介して送受信する。上り送信部１２は、制御部１３からの制御に基づき上り送信データ（データ、確認応答（ＡＣＫ／ＮＡＣＫ）等）の送信処理を行う。【００１６】
また、制御部１３の制御プレーン部２０は、ＲＲＣ（Radio  Resource  Control）レイヤであり、すべてのレイヤを制御する。詳細には、制御プレーン部２０は、ＰＵＣＣＨ（Physical  Uplink  Control  Channel）制御部２１とＰＲＡＣＨ制御部２２と記憶部２３を有する。ＰＵＣＣＨ制御部２１は、ＰＵＣＣＨのタイミング制御およびリソース制御を行い、ＰＲＡＣＨ制御部２２は、ＰＲＡＣＨのタイミング制御およびリソース制御を行う。記憶部２３には、Ｄ−ＳＲ（個別スケジューリングリクエスト）の送信タイミングの範囲を示すパラメータＴが記憶される。【００１７】
また、制御部１３のデータプレーン部３０は、ＰＨＹ（Physical），ＭＡＣ（Media  Access  Control），ＲＬＣ（Radio  Link  Control），ＰＤＣＰ（Packet  Domain  Convergence  Protocol）の各レイヤを制御する。詳細には、データプレーン部３０は、ＲＡ（Random  Access）管理部３１とＤ−ＳＲ管理部３２とＴＡ（timing  adjustment）管理部３３と送受信制御部３４とを有する。ＲＡ管理部３１は、ランダムアクセス法に関する処理を制御する。Ｄ−ＳＲ管理部３２は、スケジューリングリクエスト法に関する処理を制御する。ＴＡ管理部３３は、上り同期タイミングを管理する。送受信制御部３４は、データおよび確認応答（ＡＣＫ／ＮＡＣＫ）等の送受信を制御する。【００１８】
一方、図２において、基地局は、送受信部４１とスケジューリング部４２と送受信部４３と、制御プレーン部５０およびデータプレーン部６０を含む制御部４４と、アンテナ４５を有する。送受信部４１は、上位局との間のデータ送受信を行う。スケジューリング部４２は、無線伝送のスケジューリングを行う。送受信部４３は、無線伝送される信号を、アンテナ４５を介して送受信する。【００１９】
また、制御部４４の制御プレーン部５０は、ＲＲＣレイヤであり、すべてのレイヤを制御する。詳細には、制御プレーン部５０は、ＰＵＣＣＨ制御部５１とＰＲＡＣＨ制御部５２と記憶部５３を有する。ＰＵＣＣＨ制御部５１は、ＰＵＣＣＨのタイミング制御およびリソース制御を行い、ＰＲＡＣＨ制御部５２は、ＰＲＡＣＨのタイミング制御およびリソース制御を行う。記憶部５３には、Ｄ−ＳＲの送信タイミングの範囲を示すパラメータＴが記憶される。【００２０】
また、制御部４４のデータプレーン部６０は、ＰＨＹ，ＭＡＣ，ＲＬＣ，ＰＤＣＰの各レイヤを制御する。詳細には、データプレーン部６０は、ＲＡ管理部６１とＤ−ＳＲ管理部６２とＴＡ管理部６３と送受信制御部６４とを有する。ＲＡ管理部６１は、ランダムアクセス法に関する処理を制御する。Ｄ−ＳＲ管理部６２は、スケジューリングリクエスト法に関する処理を制御する。ＴＡ管理部６３は、上り同期タイミングを管理する。送受信制御部６４は、データおよび確認応答（ＡＣＫ／ＮＡＣＫ）等の送受信を制御する。【００２１】
なお、本実施例では、一例として、移動局（受信装置）と基地局（送信装置）を含む無線通信システムの無線通信方法について説明するが、受信装置と送信装置の関係についてはこれに限るものではない。たとえば、中継局（受信装置）と基地局（送信装置）を含むシステム、または、移動局（受信装置）と中継局（送信装置）を含むシステム、についても同様に本実施例の無線通信方法を適用可能である。また、上記の移動局および基地局の構成例は、説明の便宜上、本実施例の処理にかかわる構成を列挙したものであり、移動局および基地局のすべて機能を表現したものではない。また、移動局および基地局の各機能部は、たとえば、ＣＰＵ（Central  Processing  Unit）、ＦＰＧＡ（Field  Programmable  Gate  Array）およびメモリ等で構成することが可能である。【００２２】
ここで、本実施例の無線通信システムにおける無線通信方法を説明する前に、その前提となるシステムおよび無線通信方法について説明する。【００２３】
次世代移動通信システムであるＬＴＥ（Long  Term  Evolution）では、無線アクセス技術としてＯＦＤＭ（Orthogonal  Frequency  Division  Multiplexing）をベースとした方式が規定されている。ＬＴＥでは、下りのピーク伝送レートが１００Ｍｂ／ｓ以上、上りのピーク伝送レートが５０Ｍｂ／ｓ以上、の高速無線パケット通信が可能となる。国際標準化団体である３ＧＰＰ（3rd  Generation  Partnership  Project）では、現在、さらなる高速通信の実現にむけて、ＬＴＥをベースとした移動通信システムＬＴＥ−Ａ（LTE-Advanced）の検討が始まっている。ＬＴＥ−Ａでは、下りのピーク伝送レートは１Ｇｂ／ｓ、上りのピーク伝送レートは５００Ｍｂ／ｓを目指しており、無線アクセス方式やネットワークアーキテクチャなど、様々な新技術の検討が行われている。一方で、ＬＴＥ−Ａは、ＬＴＥをベースとしたシステムとなるため、後方互換性を保つことも重要となる。【００２４】
ＬＴＥ−Ａ（またはＬＴＥ  Ｒｅｌ−１０）では、高速通信を実現するための方法として、ＬＴＥシステムの無線キャリアを複数集約しこの集約された帯域を使用してより大容量のデータを伝送する無線通信方法、の検討が進められている。これは、キャリアアグリゲーション（周波数集約）と呼ばれている。図３は、キャリアアグリゲーションを示す図である。図３において、束ねられる各ＬＴＥ無線キャリアをコンポーネントキャリア（Component  Carrier）と呼ぶ。また、キャリアアグリゲーションにおいて、各種の重要な制御（上り制御データの送信等）を実行するセルはＰＣｅｌｌ（Primary  Cell）と呼ばれる。また、その他の束ねることが可能となるセル（＃１〜＃４）はＳＣｅｌｌ（Secondary  Cell）と呼ばれ、スループット向上のための追加的なキャリアである。図４は、キャリアアグリゲーションを採用する無線通信システムにおけるデータ送受信の様子を示す図である。ＬＴＥ−Ａ等では、たとえば、移動局（ＵＥ）と基地局（ｅＮＢ）が、複数のコンポーネントキャリアを使用してデータ（図示のDL（Down  Link）  dataに対応）の送受信を行う。【００２５】
また、本実施例の無線通信方法の前提となる技術として、ＬＴＥ−Ａ等では、競合型ランダムアクセス法が規定されている。たとえば、移動局は、上りデータ（UL（Up  Link）  data）が発生すると、スケジューリングリクエストのリソースが割り当てられていなければ競合型ランダムアクセスを実行し、上り送信許可を基地局に要求する。図５は、競合型ランダムアクセス法の一例を示す図である。【００２６】
具体的には、まず移動局が、Ｍｓｇ１で、ランダムに選択したプリアンブルＩＤ（Preamble  ID）にてランダムアクセスを開始し、選択したプリアンブルＩＤを送信する。ここでは、複数の移動局が同じＰＲＡＣＨ上で同じプリアンブルＩＤを送信する場合が想定され、この場合には競合が発生する。一方、競合が生じた場合であっても、この段階で基地局は、有効な移動局の識別子を認識できないため、どの移動局間でプリアンブルＩＤの競合が生じたのかはわからない。つぎに、基地局は、Ｍｓｇ２で、上り通信のための同期信号や送信許可等とともにＭｓｇ１に対する応答（RA  response）を返信する。このＭｓｇ２は、複数の移動局が同時にＭｓｇ１を送信してきた場合には、その複数の移動局に向けて返信される。移動局は、このＭｓｇ２で上り同期タイミングを取得する。つぎに、移動局は、Ｍｓｇ３で、自局の識別子等（UE  identifier）を送信する。基地局は、Ｍｓｇ３を受信すると、移動局の識別子を認識できるので、複数の移動局が異なるＰＲＡＣＨ上で同じプリアンブルＩＤを送信した場合に、どの移動局間でプリアンブルＩＤが競合したのかを認識することができる。一方、複数の移動局が同じＰＲＡＣＨ上で同じプリアンブルＩＤを送信した場合は、たとえば、受信パワーが強い移動局のみが検出される。その後、基地局は、Ｍｓｇ４を検出できた移動局に送信することで、競合の解決（Contention  Resolution）を行う。すなわち、この競合型ランダムアクセス法では、上記Ｍｓｇ１とＭｓｇ２で装置間の同期が確保（上り同期確保）され、上記Ｍｓｇ３とＭｓｇ４で移動局識別が行われる。【００２７】
そして、移動局では、上記Ｍｓｇ１〜Ｍｓｇ４にて「同期確保」，「移動局識別」が完了した後、基地局とのデータ送受信（UL  data，ＡＣＫ／ＮＡＣＫ）を開始する。なお、上記Ｍｓｇ２には受信時間が規定されている。受信時間の値は、２，３，４，５，６，７，８，１０であり、単位はサブフレームである。たとえば、値が２に設定されると、移動局は、Ｍｓｇ１を送信したサブフレームの次のサブフレームから数えて３サブフレーム後から、２サブフレーム連続でＭｓｇ２をモニタする。また、上記Ｍｓｇ４についても受信時間が規定されている。受信時間の値は８，１６，２４，３２，４０，４８，５６，６４である。たとえば、値が８に設定されると、移動局は、Ｍｓｇ３を送信したそのサブフレームから数えて最大８サブフレーム連続でＭｓｇ４をモニタする。【００２８】
また、ＬＴＥ−Ａ等では、上記競合型ランダムアクセス法の他に、非競合型ランダムアクセス法が規定されている。たとえば、基地局では、特定の移動局宛ての下りデータ（DL  data）が発生すると、その移動局の上り同期が取れていなければ、上り同期を確保するためにその移動局に非競合型ランダムアクセスを実行させる。図６は、非競合型ランダムアクセス法の一例を示す図である。【００２９】
具体的には、まず基地局が、Ｍｓｇ０で、上記特定の移動局に対し個別のプリアンブルＩＤを割り当てる。つぎに、移動局は、Ｍｓｇ１で、割り当てられた個別のプリアンブルＩＤを用いてランダムアクセスを開始する。つぎに、基地局は、Ｍｓｇ２で、上り通信のための同期信号や送信許可等とともにＭｓｇ１に対する応答を返信する。移動局は、このＭｓｇ２で上り同期タイミングを取得する。この非競合型ランダムアクセス法では、上記Ｍｓｇ１とＭｓｇ２で装置間の同期が確保（上り同期確保）される。【００３０】
そして、基地局では、上記Ｍｓｇ１，Ｍｓｇ２にて「同期確保」を行った後、移動局とのデータ送受信（DL  data，ＡＣＫ／ＮＡＣＫ）を開始する。【００３１】
なお、上記非競合型ランダムアクセス法では、Ｍｓｇ０で使用する個別プリアンブルＩＤが不足する場合が想定される。たとえば、基地局のセルにて多数の移動局がハンドオーバを実施している場合である。ハンドオーバでは、Ｍｓｇ０で個別プリアンブルＩＤを割り当て、移動先基地局でランダムアクセスを実施し、上り同期タイミングを高速に確保する。そのため、多数の移動局がハンドオーバを実施している場合には、多くの個別プリアンブルＩＤが利用されることになる。この場合、基地局は、個別プリアンブルＩＤの不足により非競合型ランダムアクセスを移動局に実行させることができないため、Ｍｓｇ０で、空のプリアンブルＩＤ（具体的には「００００００」）を送信する。そして、このＭｓｇ０を受信した移動局では、上記競合型ランダムアクセスを実行する。この際、Ｍｓｇ１は、Ｍｓｇ０を受信したサブフレームの直近のＰＲＡＣＨで送信することが規定されている。【００３２】
また、ＬＴＥ−Ａ等では、本実施例の無線通信方法の前提となる技術として、スケジューリングリクエスト法が規定されている。たとえば、移動局では、上りデータ（UL  data）が発生すると、スケジューリングリクエストのリソースが割り当てられている場合には、スケジューリングリクエスト法による上りデータ送信要求を行う。図７は、スケジューリングリクエスト法の一例を示す図である。なお、リソースの割り当て（「SR  PUCCH」の送信が許可されるサブフレームと使用する無線リソースの割り当て）は、上位レイヤにて指定される。【００３３】
具体的には、移動局は、指定されたサブフレームタイミングで、指定された無線リソースを利用して、上りデータ送信許可であるスケジューリングリクエストメッセージ（Ｄ−ＳＲ）を送信する。Ｄ−ＳＲを受信した基地局では、上記競合型ランダムアクセスとは異なり、Ｄ−ＳＲを送信した移動局が把握できるため、その移動局に対し上り送信許可メッセージ（UL  grant）を返信する。移動局は、UL  grantを受信後、上りデータ送信（UL  data，ＡＣＫ／ＮＡＣＫ）を実行する。【００３４】
なお、基地局は、Ｄ−ＳＲを受信した場合に、移動局に対しUL  grantを返信するとは限らない（仕様書には規定されていない）。そのため、移動局では、UL  grantを基地局から受信できない場合には、指定されたＤ−ＳＲの送信タイミングとリソースを使用して、UL  grantを受信できるまで繰り返しＤ−ＳＲを送信し続ける。送信できるＤ−ＳＲ数は、SR＿COUNTERというパラメータ（カウント値）と、その最大値であるdsr−TransMaxで規定されている。この最大値は基地局から指定される。すなわち、「SR＿COUNTER＜dsr−TransMax」を満たしている場合、移動局は、Ｄ−ＳＲを送信し続ける。一方で、「SR＿COUNTER≧dsr−TransMax」となった場合には、移動局は、許容送信回数オーバーでＤ−ＳＲを送信することができないため、上記競合型ランダムアクセスに切り替えて上りデータ送信要求を行う。【００３５】
また、キャリアアグリゲーションにおいて、ＰＵＣＣＨはＰＣｅｌｌ上に存在する。これは、ＰＵＣＣＨリソースが貴重なためである。したがって、上記スケジューリングリクエスト法もＰＣｅｌｌ上で実行されることになる。【００３６】
また、ランダムアクセス法とスケジューリングリクエスト法の使い分けにはルールが定められている。すなわち、移動局に対し「ＳＲ  ＰＵＣＣＨ」が割り当てられていない場合には、移動局は、競合型ランダムアクセス法により上りデータ送信要求を行う。一方、「ＳＲ  ＰＵＣＣＨ」が割り当てられている場合、移動局は、まずスケジューリングリクエスト法により上りデータ送信要求を行う。そして、規定送信回数内（Ｄ−ＳＲの送信）で基地局から上り送信許可が得られない場合に、移動局は、競合型ランダムアクセス法による上りデータ送信要求に切り替える。すなわち、ランダムアクセス法とスケジューリングリクエスト法は排他的に実行され、同時に実行されることはない。【００３７】
また、本実施例の無線通信方法の前提となる技術として、最後に、キャリアアグリゲーションにおいてＳＣｅｌｌで競合型ランダムアクセス法を実行する場合について説明する。図８は、ＳＣｅｌｌで競合型ランダムアクセス法を実行する場合の一例を示す図である。ここでは、一例として、特定の移動局宛ての下りデータ（DL  data）が発生したが、個別プリアンブルＩＤが不足して、基地局が、Ｍｓｇ０で、プリアンブルＩＤ：「００００００」を送信する場合、を想定する。【００３８】
たとえば、個別プリアンブルＩＤが不足している場合、基地局は、個別プリアンブルＩＤを用いた非競合型ランダムアクセスを移動局に実行させることができないため、Ｍｓｇ０で、プリアンブルＩＤ：「００００００」を送信する。つぎに、このＭｓｇ０を受信した移動局では、ランダムアクセスを開始し、Ｍｓｇ１で、ランダムに選択したプリアンブルＩＤ（Preamble  ID）を送信する。つぎに、基地局は、Ｍｓｇ２で、上り通信のための同期信号や送信許可等とともにＭｓｇ１に対する応答（RA  response）を返信する。つぎに、移動局は、Ｍｓｇ３で、自局の識別子等（UE  identifier）を送信する。つぎに、基地局は、Ｍｓｇ４で、競合の解決（Contention  Resolution）を行う。そして、基地局では、上記Ｍｓｇ１〜Ｍｓｇ４にて「同期確保」，「移動局識別」が完了した後、移動局とのデータ送受信（DL  data，ＡＣＫ／ＮＡＣＫ）を開始する。【００３９】
しかしながら、上記のように、キャリアアグリゲーションにおいてＳＣｅｌｌで競合型ランダムアクセス法を実行する場合には、Ｍｓｇ０の受信から下りデータを送信するまでに要する時間は、約２５ｍｓとなる。すなわち、上記非競合型ランダムアクセス法（図６）と比較すると、「移動局識別」を行うためのＭｓｇ３およびＭｓｇ４の送受信に要する時間的ロスが大きいことがわかる。【００４０】
そこで、本実施例では、通信の高速化を実現するために、ＳＣｅｌｌでのランダムアクセス法（無線通信方法）を工夫する。【００４１】
つづいて、本実施例の無線通信方法について説明する。図９は、実施例１の無線通信方法の一例を示す図である。本実施例では、移動局がＭｓｇ１に加えてＤ−ＳＲを送信することによって、基地局において、Ｍｓｇ１を送信した移動局の識別を高速化する。なお、図９の例では、ＳＣｅｌｌにおいて特定の移動局宛ての下りデータ（DL  data）が発生したが、個別プリアンブルＩＤが不足して、基地局が、Ｍｓｇ０で、プリアンブルＩＤ：「００００００」を送信する場合、を想定する。また、本実施例では、上記特定の移動局において、スケジューリングリクエストのリソースが割り当てられていること（「SR  PUCCH」の送信が許可されるサブフレームと使用する無線リソースの割り当てが既に行われていること）を前提とする。また、ＰＣｅｌｌでは上り同期が確保されている。【００４２】
個別プリアンブルＩＤが不足している場合、基地局では、まず、個別プリアンブルＩＤを用いた非競合型ランダムアクセス（図６）を特定の移動局に実行させることができないので、Ｍｓｇ０で、プリアンブルＩＤ：「００００００」（No  Preamble  ID）を送信する。【００４３】
つぎに、このＭｓｇ０を受信した移動局では、ＳＣｅｌｌ上に設定されたＰＲＡＣＨで、ランダムに選択したプリアンブルＩＤ（Preamble  ID）を含むＭｓｇ１を送信する。さらに、移動局では、上記ＰＲＡＣＨの「近傍」に存在し、かつＰＣｅｌｌ上に設定されているＳＲ  ＰＵＣＣＨで、Ｄ−ＳＲを送信する。【００４４】
つぎに、基地局は、Ｍｓｇ１およびＤ−ＳＲの受信を検出すると、「Ｍｓｇ１はＤ−ＳＲを送信した移動局から送信されたものである」と判断し、移動局を一意に特定する。基地局は、Ｍｓｇ１では有効な移動局の識別子を認識できないが、Ｄ−ＳＲの受信により、Ｄ−ＳＲを送信した移動局を識別することができる。【００４５】
そして、基地局では、Ｍｓｇ２で、上り通信のための同期信号（上り同期タイミング補正値）や送信許可等とともにＭｓｇ１に対する応答（RA  response）を返信する。移動局は、このＭｓｇ２で上り同期タイミングを取得する。【００４６】
すなわち、本実施例では、Ｍｓｇ１とＤ−ＳＲとＭｓｇ２により、装置間の同期が確保（上り同期確保）され、さらに、Ｄ−ＳＲにより移動局識別も完了していることから、競合型ランダムアクセス法におけるＭｓｇ３，Ｍｓｇ４を省略することができる。【００４７】
そして、基地局では、上記Ｍｓｇ１，Ｄ−ＳＲ，Ｍｓｇ２により、「同期確保」，「移動局識別」が完了した後、移動局とのデータ送受信（DL  data，ＡＣＫ／ＮＡＣＫ）を開始する。【００４８】
このように、上記図９に示す本実施例の無線通信方法では、Ｄ−ＳＲとＭｓｇ１を関連付けることにより、Ｍｓｇ１を送信した移動局の識別を高速化する。なお、ここでいう「関連付け」とは、移動局側においては、ＳＣｅｌｌ上に設定されたＰＲＡＣＨでＭｓｇ１を送信し、さらに、Ｍｓｇ１を送信したＰＲＡＣＨの「近傍」のＰＣｅｌｌ上に設定されているＳＲ  ＰＵＣＣＨでＤ−ＳＲを送信すること、を意味する。また、基地局側においては、Ｍｓｇ１およびＤ−ＳＲを検出した場合に「Ｍｓｇ１はＤ−ＳＲを送信した移動局から送信されたものである」と判断すること、を意味する。【００４９】
図１０は、本実施例の無線通信方法の効果を示す図である。本実施例の無線通信方法を実施することにより、Ｍｓｇ０の受信から下りデータを送信するまでに要する時間が、図８において約２５ｍｓであるのに対し、約１２ｍｓまで短縮可能となる。【００５０】
なお、上記Ｄ−ＳＲの送信タイミングであるＰＲＡＣＨの「近傍」は、パラメータＴとして既定することができる。たとえば、Ｔの値を、サブフレームを単位としたサブフレーム数とした場合、上記「近傍」とは、ＳＣｅｌｌ上のＰＲＡＣＨとＰＣｅｌｌ上のＳＲ  ＰＵＣＣＨがＴ内に収まっている状態を表す。図１１は、Ｔの値を通知する動作を示す図である。本実施例では、基地局が、専用のシグナリング（Dedicated  Signaling）でＴの値を移動局に通知する。ただし、パラメータＴは「０」以外の値を取ることが好ましい。Ｔの値を０に設定した場合、移動局は、ＰＲＡＣＨとＳＲ  ＰＵＣＣＨを同一のサブフレームで送信することを意味するが、この場合、基地局の受信部でＰＲＡＣＨとＳＲ  ＰＵＣＣＨのデコード処理が複雑になるためである。ただし、高度なデコーディング処理を具備した基地局であれば、Ｔの値は０としても問題はない。また、パラメータＴはより厳密に定めてもよい。すなわち、ＳＲ  ＰＵＣＣＨは、パラメータＴを受信したサブフレームから数えてＴサブフレーム後に送信する、としてもよい。【００５１】
また、図１２は、上記専用のシグナリング（Dedicated  Signaling）の一例を示す図である。ここでは、基地局は、通信開始時に送受信される「RRC  Connection  Reconfiguration」を用いて、Ｔの値を移動局に通知する。そして、移動局が、その応答として「RRC  Connection  Reconfiguration  Complete」を返信する。【００５２】
また、図１３は、上記専用のシグナリング（Dedicated  Signaling）の他の一例を示す図である。ここでは、基地局は、「MAC  Control  Element」を用いて、Ｔの値を移動局に通知する。そして、移動局が、その応答としてＡＣＫを返信する。【００５３】
また、図９の例では、Ｍｓｇ１を送信した後にＤ−ＳＲを送信しているが、Ｄ−ＳＲの送信タイミングは、これに限るものではない。すなわち、Ｍｓｇ１を送信する前であってもよい。たとえば、移動局は、Ｍｓｇ０を検出してから、通常の下りデータに対する確認応答の返信タイミングである４ｍｓ後に、Ｄ−ＳＲを送信し、その後、Ｍｓｇ１を送信することとしてもよい。【００５４】
また、本実施例（図９に示す無線通信方法）では、Ｍｓｇ２を省略することも可能である。Ｍｓｇ２は、ＲＡ−ＲＮＴＩ（Random  Access  RNTI）という移動局に共通のアドレスで、ＭＡＣレイヤの制御コマンドであるＭＡＣ  ＲＡＲ  ＰＤＵ（Protocol  Data  Unit）により送信される。具体的には、Ｍｓｇ２を送信するＰＤＣＣＨ（Physical  Downlink  Control  Channel）のＣＲＣ（１６ビット）部がＲＡ−ＲＮＴＩ（１６ビット）でマスクされた状態で送信され、ＰＤＵには上り同期タイミングの補正値，ランダムアクセスグラント等が含まれる。従って、Ｍｓｇ１を送信したすべての移動局は、規定されたタイミングでＲＡ−ＲＮＴＩでマスクされたＰＤＣＣＨをモニタすることが要求される。しかしながら、本実施例では、Ｍｓｇ１およびＤ−ＳＲを検出した時点で移動局が識別できているため、移動局に共通のアドレス（ＲＡ−ＲＮＴＩ）で通知されるＭｓｇ２ではなく、個別にTA  commandを送信することも可能である。TA  commandは、ＭＡＣレイヤの制御コマンドである「MAC  Control  Element」、具体的には「TA  command  MAC  Control  Element」で送信され、上り同期タイミングの補正値が６ビットで通知される。図１４は、基地局がＭｓｇ２の代わりにTA  commandを送信する場合の一例を示す図である。TA  commandは、ＰＤＣＣＨを移動局のＩＤであるＣ−ＲＮＴＩでマスクして当該移動局宛てに送信され、移動局は、TA  commandを受信することにより、上り同期タイミングを補正する。【００５５】
つづいて、本実施例の無線通信方法を実現する基地局および移動局の動作を、フローチャートに従い説明する。図１５は、ＤＬデータ（DL  data）を受信する移動局（受信装置）の動作を示すフローチャートであり、図１６は、ＤＬデータ（DL  data）を送信する基地局（送信装置）の動作を示すフローチャートである。【００５６】
図１５を用いて移動局の動作を説明する。まず、送受信制御部３４は、送受信部１１を介して、「RRC  Connection  Reconfiguration」で送られてくるパラメータＴを受信し、記憶部２３に記憶する（Ｓ１）。【００５７】
つぎに、ＲＡ管理部３１は、送受信部１１を介して、ＳＣｅｌｌ上でＭｓｇ０を受信する（Ｓ２）。そして、ＲＡ管理部３１では、Ｍｓｇ０に個別プリアンブルＩＤが含まれているかどうかを判断する（Ｓ３）。たとえば、個別プリアンブルＩＤが含まれている場合（Ｓ３，Ｙｅｓ）、ＲＡ管理部３１は、図６に示す非競合型ランダムアクセスを実施する（Ｓ４）。一方、個別プリアンブルＩＤが含まれていない場合（Ｓ３，Ｎｏ）、ＲＡ管理部３１は、上り送信部１２および送受信部１１を介して、ＳＣｅｌｌ上に設定されたＰＲＡＣＨでＭｓｇ１を送信する（Ｓ５）。なお、上記「個別プリアンブルＩＤが含まれていない場合」とは、プリアンブルＩＤ：「００００００」が含まれている場合を意味する。【００５８】
また、Ｄ−ＳＲ管理部３２では、記憶部２３からパラメータＴを読み出し、上り送信部１２および送受信部１１を介して、ＰＣｅｌｌ上に設定されたＳＲ  ＰＵＣＣＨを用いてパラメータＴ内でＤ−ＳＲを送信する（Ｓ６）。【００５９】
つぎに、ＲＡ管理部３１は、送受信部１１を介して、ＳＣｅｌｌ上でＭｓｇ２を受信する（Ｓ７）。そして、送受信制御部３４では、ＲＡ管理部３１が受信したＭｓｇ２に基づいて上り同期タイミングを調整する（Ｓ８）。【００６０】
その後、送受信制御部３４では、送受信部１１を介して、ＳＣｅｌｌ上でＤＬデータを受信し（Ｓ９）、その応答としてＳＣｅｌｌ上に応答確認（ＡＣＫ／ＮＡＣＫ）を返信する（Ｓ１０）。【００６１】
図１６を用いて基地局の動作を説明する。まず、送受信制御部６４は、記憶部５３に予め記憶されているパラメータＴを読み出し、送受信部４３を介して、そのパラメータＴを「RRC  Connection  Reconfiguration」を用いて送信する（Ｓ１１）。【００６２】
その後、ＳＣｅｌｌにおいて特定の移動局宛てのＤＬデータが発生した場合、ＲＡ管理部６１は、送受信部４３を介して、ＳＣｅｌｌ上にＭｓｇ０を送信する（Ｓ１２）。そして、ＲＡ管理部６１では、Ｍｓｇ０に個別プリアンブルＩＤを含めたかどうかを確認する（Ｓ１３）。たとえば、個別プリアンブルＩＤを含むＭｓｇ０を送信した場合（Ｓ１３，Ｙｅｓ）、ＲＡ管理部６１は、図６に示す非競合型ランダムアクセスを実施する（Ｓ１４）。一方、個別プリアンブルＩＤを含めずにＭｓｇ０を送信した場合（Ｓ１３，Ｎｏ）、ＲＡ管理部６１は、送受信部４３を介して、ＳＣｅｌｌ上に設定されたＰＲＡＣＨで送られてくるＭｓｇ１を受信する（Ｓ１５）。なお、上記「個別プリアンブルＩＤを含めずにＭｓｇ０を送信した場合」とは、プリアンブルＩＤ：「００００００」を含むＭｓｇ０を送信した場合を意味する。【００６３】
また、Ｄ−ＳＲ管理部６２では、記憶部５３からパラメータＴを読み出し、送受信部４３を介して、ＰＣｅｌｌ上に設定されたＳＲ  ＰＵＣＣＨを用いて送られてくるＤ−ＳＲをパラメータＴ内で受信する（Ｓ１６）。そして、ＲＡ管理部６１では、Ｄ−ＳＲを送信した移動局がＭｓｇ１を送信した移動局であると特定し（Ｓ１７）、ＴＡ管理部６３では、特定された移動局に対応した上り同期タイミング補正値を算出する（Ｓ１８）。【００６４】
つぎに、ＲＡ管理部６１は、送受信部４３を介して、ＳＣｅｌｌ上にＭｓｇ２を送信する（Ｓ１９）。【００６５】
その後、送受信制御部６４では、送受信部４３を介して、ＳＣｅｌｌ上にＤＬデータを送信し（Ｓ２０）、その応答としてＳＣｅｌｌ上で応答確認（ＡＣＫ／ＮＡＣＫ）を受信する（Ｓ２１）。【００６６】
なお、上記フローチャートを用いた説明（Ｓ１，Ｓ１１）では、「RRC  Connection  Reconfiguration」でパラメータＴを送受信しているが、これに限るものではない。たとえば、「MAC  Control  Element」を用いてパラメータＴを送受信することとしてもよい。【００６７】
また、上記フローチャートを用いた説明（Ｓ７，Ｓ１９）では、Ｍｓｇ２を送受信することとしているが、これに限るものではない。たとえば、Ｍｓｇ２の代わりにTA  commandを送受信することとしてもよい。この場合、Ｓ７は、「ＴＡ管理部３３は、送受信部１１を介して、ＳＣｅｌｌ上でTA  commandを受信する。」となる。また、Ｓ８は、「送受信制御部３４では、ＴＡ管理部３３が受信したTA  commandに基づいて上り同期タイミングを調整する。」となる。また、Ｓ１９は、「ＴＡ管理部６３は、送受信部４３を介して、ＳＣｅｌｌ上にTA  commandを送信する。」となる。【００６８】
上述したように、本実施例では、Ｍｓｇ０を受信した移動局が、ＳＣｅｌｌ上に設定されたＰＲＡＣＨを用いてＭｓｇ１を送信する。さらに、移動局が、Ｍｓｇ１を送信したＰＲＡＣＨ「近傍」の、ＰＣｅｌｌ上に設定されたＳＲ  ＰＵＣＣＨを用いて、Ｄ−ＳＲを送信する。そして、基地局が、受信したＤ−ＳＲに基づいて、Ｍｓｇ１を送信した移動局を一意に特定（識別）する。これにより、移動局の識別を目的としたＭｓｇ３，Ｍｓｇ４を省略することができるので、移動局では、Ｍｓｇ０の受信からＤＬデータ受信までの処理時間を短縮することが可能となる。また、基地局では、Ｍｓｇ０の送信からＤＬデータ送信までの処理時間を短縮することが可能となる。すなわち、システム全体として、通信の高速化を実現することができる。【００６９】
なお、本実施例では、Ｍｓｇ０を受信した移動局がＤ−ＳＲを送信する場合について説明した。しかしながら、ＳＲ  ＰＵＣＣＨは複数の移動局に個別リソースとして割り当て可能なため、基地局は、Ｍｓｇ１が送信されたＰＲＡＣＨの「近傍」の同じＰＣｅｌｌ上のサブフレームで、複数の移動局からＤ−ＳＲを受信する場合がある。図１７は、複数のＤ−ＳＲを受信した場合の一例を示す図である。この場合、基地局では、Ｍｓｇ１と複数のＤ−ＳＲを処理して意図する移動局を識別することになる。しかしながら、Ｄ−ＳＲは、移動局毎の個別リソースであり、基地局が通信の設定時に割り当てる（具体的には「RRC  Connection  Reconfiguration」で割り当てる）ため、基地局は、受信した複数のＤ−ＳＲの中から意図する移動局を識別することができる。【００７０】
図１８は、複数のＤ−ＳＲを受信した場合の基地局（送信装置）の動作を示すフローチャートである。たとえば、基地局のＤ−ＳＲ管理部６２は、送受信部４３を介して、ＰＣｅｌｌ上に設定されたＳＲ  ＰＵＣＣＨを用いて送られてくるＤ−ＳＲをパラメータＴ内で複数受信する（Ｓ１６ａ）。そして、Ｄ−ＳＲ管理部６２では、Ｄ−ＳＲを送信した複数の移動局の中から意図する移動局を特定する（Ｓ１７ａ）。なお、上記図１６と同様の処理については、同一のステップ（Ｓ）番号を付してその説明を省略する。
【実施例２】
【００７１】
実施例２の無線通信方法について説明する。実施例２では、たとえば、前述した図９に示す無線通信方法（「Ｍｓｇ１とＤ−ＳＲを関連付ける無線通信方法」の一例）の実行について、Activation／De-activationを導入する。なお、移動局および基地局の構成は前述した実施例１と同様である。以下、実施例１と異なる処理について説明する。【００７２】
実施例１では、パラメータＴを通知するためのシグナリング（Dedicated  Signaling（T））が、図９に示す無線通信方法をActivationとすることのトリガとなっていた（図１１参照）。すなわち、移動局は、パラメータＴの受信（図１５のＳ１）をトリガとして、必要に応じてＳ５〜Ｓ１０（Ｍｓｇ１とＤ−ＳＲを関連付ける処理）を実行していた。【００７３】
実施例２では、パラメータＴの通知（図１５のＳ１，Ｓ１１）と、図９に示す無線通信方法（「Ｍｓｇ１とＤ−ＳＲを関連付ける無線通信方法」の一例）を実行させるための通知とを分離する。【００７４】
具体的には、図９に示す無線通信方法をActivationとする場合、基地局は、Ｃ−ＲＮＴＩ以外の専用のアドレスでＭｓｇ０をマスクして送信する。一方、図９に示す無線通信方法をDe-activationとする場合、基地局は、移動局のアドレス（Ｃ−ＲＮＴＩ）でＭｓｇ０をマスクして送信する。すなわち、移動局が上記専用のアドレスでマスクされたＭｓｇ０を受信した場合には、このＭｓｇ０をActivationのトリガとみなし、必要に応じてＭｓｇ１とＤ−ＳＲを送信する。逆に、移動局がＣ−ＲＮＴＩでマスクされたＭｓｇ０を受信した場合には、De-activationとなり、たとえば、図８に示す競合型ランダムアクセス（Ｍｓｇ１〜Ｍｓｇ４）を実施する。上記専用のアドレスは、Ｃ−ＲＮＴＩと同様に１６ビットであることが好ましい。【００７５】
以下、実施例２の無線通信方法を各装置のフローチャートに従って説明する。なお、パラメータＴの通知に関する処理（実施例１のＳ１，Ｓ１１）は、下記図１９および図２０の処理とは別に行われており、パラメータＴは既に各記憶部に記憶されていることを前提とする。【００７６】
図１９は、ＤＬデータを受信する移動局（受信装置）の実施例２の動作を示すフローチャートである。なお、前述した実施例１と同様の処理については、同一のステップ（Ｓ）番号を付してその説明を省略する。ここでは、実施例１と異なる処理について説明する。【００７７】
図１９において、Ｍｓｇ０を受信した移動局のＲＡ管理部３１は、Ｍｓｇ０がＣ−ＲＮＴＩでマスクされているかどうか、すなわち、Ｃ−ＲＮＴＩを受信したかどうか、を確認する（Ｓ３１）。たとえば、上記専用のアドレスを受信した場合には（Ｓ３１，Ｎｏ）、移動局は、実施例１と同様の処理で、Ｓ３，Ｓ５〜Ｓ１０またはＳ３，Ｓ４を実行する。【００７８】
一方、Ｃ−ＲＮＴＩを受信した場合には（Ｓ３１，Ｙｅｓ）、移動局のＲＡ管理部３１は、Ｍｓｇ０に個別プリアンブルＩＤが含まれているかどうかを判断する（Ｓ３２）。そして、個別プリアンブルＩＤが含まれていれば（Ｓ３２，Ｙｅｓ）、非競合型ランダムアクセスを実行し（Ｓ４）、個別プリアンブルＩＤが含まれていなければ（Ｓ３２，Ｎｏ）、競合型ランダムアクセスを実行する（Ｓ３３）。【００７９】
図２０は、ＤＬデータを送信する基地局（送信装置）の実施例２の動作を示すフローチャートである。なお、前述した実施例１と同様の処理については、同一のステップ（Ｓ）番号を付してその説明を省略する。ここでは、実施例１と異なる処理について説明する。【００８０】
図２０において、Ｍｓｇ０を送信した基地局のＲＡ管理部６１は、Ｍｓｇ０をＣ−ＲＮＴＩでマスクしたかどうか、すなわち、Ｃ−ＲＮＴＩを送信したかどうか、を確認する（Ｓ３４）。たとえば、上記専用のアドレスを送信した場合には（Ｓ３４，Ｎｏ）、基地局は、実施例１と同様の処理で、Ｓ１３，Ｓ１５〜Ｓ２１またはＳ１３，Ｓ１４を実行する。【００８１】
一方、Ｃ−ＲＮＴＩを送信した場合には（Ｓ３４，Ｙｅｓ）、基地局のＲＡ管理部６１は、Ｍｓｇ０に個別プリアンブルＩＤを含めたかどうかを確認する（Ｓ３５）。そして、個別プリアンブルＩＤを含めていれば（Ｓ３５，Ｙｅｓ）、非競合型ランダムアクセスを実行し（Ｓ１４）、個別プリアンブルＩＤが含めていなければ（Ｓ３５，Ｎｏ）、競合型ランダムアクセスを実行する（Ｓ３６）。【００８２】
このように、本実施例では、図９に示す無線通信方法（「Ｍｓｇ１とＤ−ＳＲを関連付ける無線通信方法」の一例）をActivationとするためのトリガとして、専用のアドレスを導入することとした。すなわち、本実施例においては、上記専用のアドレスの有無に応じて、実施例１と同様に、Ｍｓｇ１とＤ−ＳＲを送信する。これにより、実施例１と同様に、移動局の識別を目的としたＭｓｇ３，Ｍｓｇ４を省略することができるので、移動局では、Ｍｓｇ０の受信からＤＬデータ受信までの処理時間を短縮することが可能となる。また、基地局では、Ｍｓｇ０の送信からＤＬデータ送信までの処理時間を短縮することが可能となる。すなわち、システム全体として、通信の高速化を実現することができる。
【実施例３】
【００８３】
実施例３の無線通信方法について説明する。実施例３では、実施例１または実施例２の無線通信方法を実現可能とする無線通信システムにおいて、基地局がＭｓｇ１を同じサブフレームで複数検出した場合を想定する。なお、移動局および基地局の構成は前述した実施例１と同様である。以下、実施例１と異なる処理について説明する。【００８４】
たとえば、実施例１または実施例２の無線通信方法を実行中に、Ｓ１５の処理で、基地局がＭｓｇ１を同じサブフレームで複数検出した場合、この基地局では、どの移動局がＭｓｇ１を送信したのかを識別できない。そのため、基地局は、Ｄ−ＳＲを併用して移動局の識別を試みても、Ｄ−ＳＲとＭｓｇ１とを関連付けることができない。【００８５】
そこで、本実施例では、基地局が、たとえば、図２１に示すように、再度Ｍｓｇ０を所望の移動局に対して送信する。すなわち、基地局は、Ｄ−ＳＲとＭｓｇ１の関連付けができるまで、Ｍｓｇ０の送信を繰り返し実行する。図２１は、実施例３の無線通信方法の一例（実施例３の第１の無線通信方法）を示す図である。ここでは、２つの移動局であるＵＥ＿１とＵＥ＿２がＭｓｇ１を送信し、２つのＭｓｇ１を受信した基地局が再度Ｍｓｇ０を受信し、その後に受信したＭｓｇ１とＤ−ＳＲでＵＥ＿１を関連付けることによってＵＥ＿１を識別している。【００８６】
また、本実施例では、上記図２１とは異なる方法で、ＵＥ＿１を識別することも可能である。たとえば、基地局は、意図する移動局に対して競合型ランダムアクセスを実行する。すなわち、Ｍｓｇ１を同じサブフレームで複数検出した場合、基地局は、ＳＣｅｌｌ上でＭｓｇ２を送信する。図２２は、図２１とは異なる実施例３の無線通信方法の一例（実施例３の第２の無線通信方法）を示す図である。【００８７】
なお、競合型ランダムアクセスを実行する場合、移動局は、基地局が正しくＭｓｇ１とＤ−ＳＲを関連付けることができたのか否かを、判断しなければならない。その理由は、Ｍｓｇ２を受信した場合に、続くＭｓｇ３を送信すべきなのか、Ｍｓｇ３の送信をスキップしてＤＬデータの到着を待つべきなのか、を判定しなければならないからである。【００８８】
そのため、本実施例では、以下に示す２つの方法のうちのいずれか一方の方法を実行する。１つ目の方法は、Ｍｓｇ２に含まれるリザーブビットを利用する方法である。図２３は、Ｍｓｇ２が送信される、ＭＡＣレイヤの制御コマンドであるＭＡＣ  ＲＡＲ  ＰＤＵの一例を示す図である。たとえば、ＰＤＵのリザーブビット（Ｒビット）が０の場合は、競合型ランダムアクセスを実施する。すなわち、移動局は、Ｍｓｇ３を送信する。一方、Ｒビットが１の場合、移動局は、Ｍｓｇ３の送信をスキップする。すなわち、基地局が正しくＭｓｇ１とＤ−ＳＲを関連付けることができたと判断する。なお、１つ目の方法では、０と１が逆でもよい。【００８９】
また、２つ目の方法では、基地局は、正しくＭｓｇ１とＤ−ＳＲを関連付けることができなかった場合に、通常のＭｓｇ２を送信する。一方で、正しくＭｓｇ１とＤ−ＳＲを関連付けることができた場合には、基地局は、TA  commandを送信する。この方法により、移動局では、Ｍｓｇ２を受信した場合には、正しくＭｓｇ１とＤ−ＳＲを関連付けることができなかったと判断し、Ｍｓｇ３を送信する。一方、TA  commandを受信した場合には、正しくＭｓｇ１とＤ−ＳＲを関連付けることができたと判断する。【００９０】
これらの方法により、移動局では、Ｍｓｇ３を送信するべきかどうかを容易に判断することができる。【００９１】
以下、実施例３の無線通信方法を各装置のフローチャートに従って説明する。なお、前述した実施例１と同様の処理については、同一のステップ（Ｓ）番号を付してその説明を省略する。ここでは、実施例１と異なる処理について説明する。【００９２】
図２４は、移動局（受信装置）における実施例３の第１の無線通信方法の動作を示すフローチャートである。図２４において、移動局では、Ｄ−ＳＲ管理部３２がパラメータＴ内でＤ−ＳＲを送信した後（Ｓ６）、ＲＡ管理部３１が、基地局からのＭｓｇ２の受信を待つ（Ｓ７ｂ）。そして、ＲＡ管理部３１が送受信部１１を介してＳＣｅｌｌ上でＭｓｇ２を受信した場合（Ｓ７ｂ，Ｙｅｓ）、ＴＡ管理部３３では、ＲＡ管理部３１が受信したＭｓｇ２に基づいて上り同期タイミングを調整する（Ｓ８）。一方、Ｍｓｇ２を受信できない場合には（Ｓ７ｂ，Ｎｏ）、ＲＡ管理部３１は、送受信部１１を介して再度Ｍｓｇ０を受信することになる（Ｓ２）。【００９３】
図２５は、基地局（送信装置）における実施例３の第１の無線通信方法の動作を示すフローチャートである。図２５において、基地局では、Ｄ−ＳＲ管理部６２が、記憶部５３からパラメータＴを読み出し、送受信部４３を介して、ＰＣｅｌｌ上に設定されたＳＲ  ＰＵＣＣＨを用いて送られてくるＤ−ＳＲをパラメータＴ内で受信する（Ｓ１６）。そして、ＴＡ管理部６３が上り同期タイミング補正値を算出した後（Ｓ１８）、ＲＡ管理部６１が、Ｔ内でＭｓｇ１を複数受信したかどうかを確認する（Ｓ４１）。たとえば、Ｔ内でＭｓｇ１を１つだけ受信している場合には（Ｓ４１，Ｎｏ）、ＲＡ管理部６１は、送受信部４３を介してＳＣｅｌｌ上にＭｓｇ２を送信する（Ｓ１９）。一方、Ｔ内でＭｓｇ１を複数受信している場合には（Ｓ４１，Ｙｅｓ）、ＲＡ管理部６１は、送受信部４３を介してＳＣｅｌｌ上に再度Ｍｓｇ０を送信する（Ｓ１２）。【００９４】
図２６は、移動局（受信装置）における実施例３の第２の無線通信方法（Ｒビット判定）の動作を示すフローチャートである。図２６において、移動局では、Ｄ−ＳＲ管理部３２がパラメータＴ内でＤ−ＳＲを送信した後（Ｓ６）、ＲＡ管理部３１が、基地局からのＭｓｇ２の受信を待つ（Ｓ７ｃ）。そして、ＲＡ管理部３１が送受信部１１を介してＳＣｅｌｌ上でＭｓｇ２を受信し、かつＲビットが１の場合（Ｓ７ｃ，Ｎｏ）、ＴＡ管理部３３では、ＲＡ管理部３１が受信したＭｓｇ２に基づいて上り同期タイミングを調整する（Ｓ８）。一方、ＲＡ管理部３１が送受信部１１を介してＳＣｅｌｌ上でＭｓｇ２を受信し、かつＲビットが０の場合（Ｓ７ｃ，Ｙｅｓ）、ＲＡ管理部３１は、競合型ランダムアクセスを実行する（Ｓ４２）。【００９５】
図２７は、基地局（送信装置）における実施例３の第２の無線通信方法（Ｒビット判定）の動作を示すフローチャートである。図２７において、基地局では、Ｄ−ＳＲ管理部６２が、記憶部５３からパラメータＴを読み出し、送受信部４３を介して、ＰＣｅｌｌ上に設定されたＳＲ  ＰＵＣＣＨを用いて送られてくるＤ−ＳＲをパラメータＴ内で受信する（Ｓ１６）。そして、ＴＡ管理部６３が上り同期タイミング補正値を算出した後（Ｓ１８）、ＲＡ管理部６１が、Ｔ内でＭｓｇ１を複数受信したかどうかを確認する（Ｓ４１）。たとえば、Ｔ内でＭｓｇ１を１つだけ受信している場合には（Ｓ４１，Ｎｏ）、ＲＡ管理部６１は、送受信部４３を介してＳＣｅｌｌ上に、ＰＤＵのＲビットを１としたＭｓｇ２を送信する（Ｓ１９ｃ＿１）。一方、Ｔ内でＭｓｇ１を複数受信している場合には（Ｓ４１，Ｙｅｓ）、ＲＡ管理部６１は、送受信部４３を介してＳＣｅｌｌ上に、ＰＤＵのＲビットを０としたＭｓｇ２を送信する（Ｓ１９ｃ＿２）。そして、ＲＡ管理部６１では、Ｍｓｇ１とＤ−ＳＲの関連付けをスキップして（Ｓ４３）競合型ランダムアクセスを実行する（Ｓ４４）。【００９６】
図２８は、移動局（受信装置）における実施例３の第２の無線通信方法（TA  command判定）の動作を示すフローチャートである。図２８において、移動局では、Ｄ−ＳＲ管理部３２がパラメータＴ内でＤ−ＳＲを送信した後（Ｓ６）、ＲＡ管理部３１がＭｓｇ２の受信を待ち、さらに、ＴＡ管理部３３がTA  commandの受信を待つ（Ｓ７ｄ）。そして、送受信部１１を介してＳＣｅｌｌ上でTA  commandを受信した場合（Ｓ７ｄ，Ｎｏ）、ＴＡ管理部３３では、そのTA  commandに基づいて上り同期タイミングを調整する（Ｓ８＿１）。一方、ＲＡ管理部３１が送受信部１１を介してＳＣｅｌｌ上でＭｓｇ２を受信した場合（Ｓ７ｄ，Ｙｅｓ）、ＴＡ管理部３３では、ＲＡ管理部３１が受信したＭｓｇ２に基づいて上り同期タイミングを調整する（Ｓ８＿２）。そして、ＲＡ管理部３１が、競合型ランダムアクセスを実行する（Ｓ４２）。【００９７】
図２９は、基地局（送信装置）における実施例３の第２の無線通信方法（TA  command判定）の動作を示すフローチャートである。図２９において、基地局では、Ｄ−ＳＲ管理部６２が、記憶部５３からパラメータＴを読み出し、送受信部４３を介して、ＰＣｅｌｌ上に設定されたＳＲ  ＰＵＣＣＨを用いて送られてくるＤ−ＳＲをパラメータＴ内で受信する（Ｓ１６）。そして、ＴＡ管理部６３が上り同期タイミング補正値を算出した後（Ｓ１８）、ＲＡ管理部６１が、Ｔ内でＭｓｇ１を複数受信したかどうかを確認する（Ｓ４１）。たとえば、Ｔ内でＭｓｇ１を１つだけ受信している場合には（Ｓ４１，Ｎｏ）、ＴＡ管理部６３は、送受信部４３を介してＳＣｅｌｌ上にTA  commandを送信する（Ｓ４５）。一方、Ｔ内でＭｓｇ１を複数受信している場合には（Ｓ４１，Ｙｅｓ）、ＲＡ管理部６１は、送受信部４３を介してＳＣｅｌｌ上にＭｓｇ２を送信する（Ｓ１９）。そして、ＲＡ管理部６１では、Ｍｓｇ１とＤ−ＳＲの関連付けをスキップして（Ｓ４３）競合型ランダムアクセスを実行する（Ｓ４４）。【００９８】
このように、本実施例では、上記のいずれかの無線通信方法を実行することとした。これにより、基地局は、誤ったＭｓｇ１とＤ−ＳＲの関連付けによって、誤った上り同期タイミングを移動局に通知することを回避するができる。
【実施例４】
【００９９】
実施例４の無線通信方法について説明する。実施例４では、Ｄ−ＳＲの送受信に失敗し、基地局がＭｓｇ１を検出できなかった場合、すなわち、基地局においてＭｓｇ１とＤ−ＳＲの関連付けができない場合を想定する。なお、移動局および基地局の構成は前述した実施例１と同様である。以下、実施例１と異なる処理について説明する。【０１００】
図３０は、実施例４の無線通信方法の一例を示す図である。たとえば、図示のようにＤ−ＳＲの送受信に失敗すると、基地局では、Ｍｓｇ１とＤ−ＳＲの関連付けができない。そこで、基地局では、Ｄ−ＳＲを受信できないと判断した時点で、再度Ｍｓｇ０を送信し、再度Ｍｓｇ１とＤ−ＳＲの関連付けを行う。【０１０１】
また、本実施例では、上記図３０とは異なる方法で、通信を継続することとしてもよい。図３１は、図３０とは異なる実施例４の無線通信方法の一例を示す図である。たとえば、図示のようにＤ−ＳＲの送受信に失敗すると、基地局では、Ｍｓｇ１とＤ−ＳＲの関連付けができないので、競合型ランダムアクセス（Ｍｓｇ２〜４の送受信）に切り替えて通信を継続する。【０１０２】
本実施例では、図３０と図３１のどちらの無線通信方法を選択してもよく、これらの判断は、基地局のスケジューリング部４２が判断する。たとえば、Ｄ−ＳＲを送信するためのＳＲ  ＰＵＣＣＨリソースの割り当て周期が短い場合は、Ｍｓｇ０を再送した方が、時間的ロスを抑えながらＤ−ＳＲを受信できるので、図３０に示す無線通信方法を選択する。一方、ＳＲ  ＰＵＣＣＨリソースの割り当て周期が長い場合は、競合型ランダムアクセス法を選択する方が速くＤ−ＳＲを受信できる可能性が高いため、図３１に示す無線通信方法を選択する。【０１０３】
また、以下の基準で無線通信方法の選択を行うこととしてもよい。たとえば、上り送信パワーの不足や瞬間的な上りの干渉の影響でＤ−ＳＲが受信できなかったと判断できる場合には、つぎのＤ−ＳＲを受信できる可能性が高いので、図３０に示す無線通信方法を選択する。一方、上り送信パワーの調整に問題がある場合や干渉が継続すると判断できるような場合は、競合型ランダムアクセス法を選択する方が速くＤ−ＳＲを受信できる可能性が高いため、図３１に示す無線通信方法を選択する。【０１０４】
なお、競合型ランダムアクセスを実行する場合については、移動局は、基地局がＤ−ＳＲを正しく受信できたのかできなかったのかを判断しなければならない。そのため、本実施例では、以下に示す２つの方法のうちのいずれか一方の方法を実行する。【０１０５】
１つ目の方法は、Ｍｓｇ２に含まれるリザーブビットを利用する方法である。たとえば、ＰＤＵ（図２３参照）のリザーブビット（Ｒビット）が０の場合は、競合型ランダムアクセスを実施する。すなわち、移動局は、Ｍｓｇ３を送信する。一方、Ｒビットが１の場合、移動局は、Ｍｓｇ３の送信をスキップする。すなわち、基地局がＤ−ＳＲを正しく受信できたものと判断する。なお、１つ目の方法では、０と１が逆でもよい。【０１０６】
また、２つ目の方法では、基地局は、Ｄ−ＳＲを正しく受信できなかった場合に、通常のＭｓｇ２を送信する。一方で、Ｄ−ＳＲを正しく受信できた場合には、基地局は、TA  commandを送信する。この方法により、移動局では、Ｍｓｇ２を受信した場合には、Ｄ−ＳＲを正しく受信できなかったと判断し、Ｍｓｇ３を送信する。一方、TA  commandを受信した場合には、Ｄ−ＳＲを正しく受信できたものと判断する。【０１０７】
これらの方法により、移動局では、Ｍｓｇ３を送信するべきかどうかを容易に判断することができる。【０１０８】
以下、実施例４の無線通信方法を各装置のフローチャートに従って説明する。図３２は、基地局（送信装置）における実施例４の無線通信方法（Ｒビット判定）の動作を示すフローチャートである。なお、前述した実施例１〜３と同様の処理については、同一のステップ（Ｓ）番号を付してその説明を省略する。ここでは、実施例３の図２７と異なる処理について説明する。また、移動局の動作は、図２６に示す無線通信方法と同一である。【０１０９】
図３２において、基地局では、ＲＡ管理部６１が、送受信部４３を介して、ＳＣｅｌｌ上に設定されたＰＲＡＣＨで送られてくるＭｓｇ１を受信する（Ｓ１５）。そして、ＴＡ管理部６３が上り同期タイミング補正値を算出した後（Ｓ１８）、Ｄ−ＳＲ管理部６２が、Ｔ内でＤ−ＳＲを受信できているかどうかを判断する（Ｓ５１）。たとえば、Ｔ内でＤ−ＳＲを受信できている場合には（Ｓ５１，Ｎｏ）、ＲＡ管理部６１は、送受信部４３を介してＳＣｅｌｌ上に、ＰＤＵのＲビットを１としたＭｓｇ２を送信する（Ｓ１９ｃ＿１）。一方、Ｔ内でＤ−ＳＲを受信できていない場合には（Ｓ５１，Ｙｅｓ）、ＲＡ管理部６１は、送受信部４３を介してＳＣｅｌｌ上に、ＰＤＵのＲビットを０としたＭｓｇ２を送信する（Ｓ１９ｃ＿２）。そして、ＲＡ管理部６１では、Ｍｓｇ１とＤ−ＳＲの関連付けをスキップして（Ｓ４３）競合型ランダムアクセスを実行する（Ｓ４４）。【０１１０】
また、図３３は、基地局（送信装置）における実施例４の無線通信方法（TA  command判定）の動作を示すフローチャートである。なお、前述した実施例１〜３と同様の処理については、同一のステップ（Ｓ）番号を付してその説明を省略する。ここでは、実施例３の図２９と異なる処理について説明する。また、移動局の動作は、図２８に示す無線通信方法と同一である。【０１１１】
図３３において、基地局では、ＲＡ管理部６１が、送受信部４３を介して、ＳＣｅｌｌ上に設定されたＰＲＡＣＨで送られてくるＭｓｇ１を受信する（Ｓ１５）。そして、ＴＡ管理部６３が上り同期タイミング補正値を算出した後（Ｓ１８）、Ｄ−ＳＲ管理部６２が、Ｔ内でＤ−ＳＲを受信できているかどうかを判断する（Ｓ５１）。たとえば、Ｔ内でＤ−ＳＲを受信できている場合には（Ｓ５１，Ｎｏ）、ＴＡ管理部６３は、送受信部４３を介してＳＣｅｌｌ上にTA  commandを送信する（Ｓ４５）。一方、Ｔ内でＤ−ＳＲを受信できていない場合には（Ｓ５１，Ｙｅｓ）、ＲＡ管理部６１は、送受信部４３を介してＳＣｅｌｌ上にＭｓｇ２を送信する（Ｓ１９）。そして、ＲＡ管理部６１では、Ｍｓｇ１とＤ−ＳＲの関連付けをスキップして（Ｓ４３）競合型ランダムアクセスを実行する（Ｓ４４）。【０１１２】
このように、本実施例では、Ｄ−ＳＲの送受信に失敗し、基地局においてＭｓｇ１とＤ−ＳＲの関連付けができない場合に、図３０または図３１に示す無線通信方法を実行することとした。これにより、基地局および移動局では、通信を継続することができる。
【実施例５】
【０１１３】
実施例５の無線通信方法について説明する。実施例５では、Ｍｓｇ１の送受信に失敗し、基地局がＭｓｇ１を検出できなかった場合を想定する。なお、移動局および基地局の構成は前述した実施例１と同様である。以下、実施例１と異なる処理について説明する。【０１１４】
図３４は、実施例５の無線通信方法の一例を示す図である。たとえば、Ｍｓｇ０を送信した後、基地局が意図する移動局からＭｓｇ１を受信するサブフレームは、直近にＰＲＡＣＨを割り当てているサブフレームである。すなわち、このサブフレームでＭｓｇ１を検出できなければ、基地局は、Ｍｓｇ１の受信に失敗したものと判断することができる。したがって、本実施例では、基地局は、Ｍｓｇ１の受信に失敗したものと判断した場合、再度上り同期タイミングを取得するため、移動局に対して再度Ｍｓｇ０を送信する。【０１１５】
以下、実施例５の無線通信方法を各装置のフローチャートに従って説明する。なお、前述した実施例１と同様の処理については、同一のステップ（Ｓ）番号を付してその説明を省略する。ここでは、実施例１と異なる処理について説明する。【０１１６】
図３５は、移動局（受信装置）における実施例５の無線通信方法の動作を示すフローチャートである。図３５において、移動局では、Ｄ−ＳＲ管理部３２が、記憶部２３からパラメータＴを読み出し、上り送信部１２および送受信部１１を介して、ＰＣｅｌｌ上に設定されたＳＲ  ＰＵＣＣＨを用いてパラメータＴ内でＤ−ＳＲを送信する（Ｓ６）。そして、ＲＡ管理部３１が、ＳＣｅｌｌ上でＭｓｇ２を受信したかどうかを確認する（Ｓ６１）。たとえば、Ｍｓｇ２を受信できていれば（Ｓ６１，Ｙｅｓ）、送受信制御部３４が、ＲＡ管理部３１が受信したＭｓｇ２に基づいて上り同期タイミングを調整する（Ｓ８）。一方、Ｍｓｇ２を受信できていない場合（Ｓ６１，Ｎｏ）、ＲＡ管理部３１が、送受信部１１を介して再度Ｍｓｇ０を受信する（Ｓ２）。【０１１７】
図３６は、基地局（送信装置）における実施例５の無線通信方法の動作を示すフローチャートである。図３６において、基地局では、ＲＡ管理部６１が個別プリアンブルＩＤを含めずにＭｓｇ０を送信した場合（Ｓ１３，Ｎｏ）、ＲＡ管理部６１が、ＰＲＡＣＨで送られてくるＭｓｇ１をパラメータＴ内で受信したかどうかを確認する（Ｓ６２）。たとえば、Ｔ内でＭｓｇ１を受信できている場合（Ｓ６２，Ｙｅｓ）、Ｄ−ＳＲ管理部６２が、記憶部５３からパラメータＴを読み出し、送受信部４３を介して、ＳＲ  ＰＵＣＣＨを用いて送られてくるＤ−ＳＲをパラメータＴ内で受信する（Ｓ１６）。一方、Ｔ内でＭｓｇ１を受信できない場合（Ｓ６２，Ｎｏ）、ＲＡ管理部６１が、送受信部４３を介して、ＳＣｅｌｌ上に再度Ｍｓｇ０を送信する（Ｓ１２）。【０１１８】
このように、本実施例では、Ｍｓｇ１の送受信に失敗した場合であっても、基地局は、意図する移動局からＭｓｇ１を受信するべきサブフレームを認識できているので、すばやくＭｓｇ０を再送することができる。これにより、基地局および移動局では、通信を継続することができる。
【実施例６】
【０１１９】
実施例６の無線通信方法について説明する。実施例６では、複数の移動局が同じＰＲＡＣＨかつ同じプリアンブルＩＤを使ってＭｓｇ１を送信することによってＭｓｇ１の衝突が生じ、基地局においてＭｓｇ１を正しくデコードできない場合を想定する。なお、移動局および基地局の構成は前述した実施例１と同様である。以下、実施例１と異なる処理について説明する。【０１２０】
図３７は、実施例６の無線通信方法（第１の上り同期補正方法）の一例を示す図である。たとえば、複数の移動局（UE＿1，2）が同じＰＲＡＣＨかつ同じプリアンブルＩＤを使ってＭｓｇ１を送信することによってＭｓｇ１の衝突が生じ、基地局が、Ｍｓｇ１を正しくデコードできない場合がある。【０１２１】
このようなＭｓｇ１を正しくデコードできない場合において、特に問題となるケースは、基地局が、意図する移動局（UE＿1）ではない他の移動局（UE＿2）が送信したＭｓｇ１を検出してしまうケースである。このようなケースでは、基地局は、Ｍｓｇ１とＤ−ＳＲを誤って関連付けることになる。結果として、意図する移動局（UE＿1）に対して、他の移動局（UE＿2）の上り同期タイミングが通知されてしまう。このようなケースは、基地局において受信した無線信号がＣＰ（Cyclic  Prefix）長内であれば他セル干渉とはならないが、該セル内の干渉になるため、好ましいとは言えない。【０１２２】
そこで、本実施例では、たとえば、基地局は、Ｍｓｇ２を送信した後のデータ通信（ＡＣＫ／ＮＡＣＫ）において、上り同期タイミングのずれを検出した場合に、新たな上り同期タイミングを移動局（UE＿1）に通知する。これにより、上り同期を補正することができる。【０１２３】
具体的には、基地局が、上り同期タイミングのずれを検出した後に、まず、ワンショット型のＳＲＳ（Sounding  RS）送信を移動局（UE＿1）に要求する（図３７のOne−shot（aperiodic）  SRS  requestに相当）。なお、ＳＲＳを要求するセルは、Ｍｓｇ１を送信したセルと同キャリアのセルであればよい。つぎに、移動局（UE＿1）が、ＳＲＳ（図３７のOne−shot（aperiodic）  SRSに相当）を送信する。そして、基地局が、受信したＳＲＳに基づいて、正しい上り同期タイミング（上り同期タイミング補正値）を算出し、TA  commandを移動局（UE＿1）に送信する。【０１２４】
また、上記とは異なる方法（第２の上り同期補正方法）で、正しい上り同期タイミングを移動局（UE＿1）に送信することとしてもよい。たとえば、通常の周期型のＳＲＳ送信により送信されるＳＲＳに基づいて、正しい上り同期タイミングを算出する方法ある。図３８は、上記とは異なる実施例６の無線通信方法の一例を示す図である。この方法では、基地局が、移動局（UE＿1）が周期的に送信するＳＲＳ（Periodic  SRS）を受信し、上り同期タイミングのずれを検出した後に、このＳＲＳに基づいて正しい上り同期タイミングを算出し、TA  commandを移動局（UE＿1）に送信する。【０１２５】
また、上記以外の方法（第３の上り同期補正方法）として、上り同期タイミングのずれを検出する前に、正しい上り同期タイミングを移動局（UE＿1）に送信しておく方法もある。図３９は、上記とは異なる実施例６の無線通信方法の一例を示す図である。この方法では、まず、基地局が、Ｍｓｇ２を送信した後に、続けて、ワンショット型のＳＲＳ（Sounding  RS）送信を移動局（UE＿1）に要求する（図３９のOne−shot（aperiodic）  SRS  requestに相当）。なお、ＳＲＳを要求するセルは、Ｍｓｇ１を送信したセルと同キャリアのセルであればよい。つぎに、移動局（UE＿1）が、ＳＲＳ（図３９のOne−shot（aperiodic）  SRSに相当）を送信する。そして、基地局が、受信したＳＲＳに基づいて、正しい上り同期タイミングを算出し、TA  commandを移動局（UE＿1）に送信する。その後、基地局と移動局（UE＿1）の間でデータ通信（DL  Data、ＡＣＫ／ＮＡＣＫ）が行われる。【０１２６】
以下、実施例６の無線通信方法を各装置のフローチャートに従って説明する。なお、前述した実施例１と同様の処理については、同一のステップ（Ｓ）番号を付してその説明を省略する。ここでは、実施例１と異なる処理について説明する。【０１２７】
図４０は、移動局（受信装置）における実施例６の無線通信方法（第１の上り同期補正方法）の動作を示すフローチャートである。図４０において、移動局では、送受信制御部３４が、ＤＬデータに対する応答としてＳＣｅｌｌ上に応答確認を返信（Ｓ１０）し、その後、基地局からＳＲＳ送信の要求があるかどうかを確認する（Ｓ７１）。たとえば、ＳＲＳ送信の要求がある場合（Ｓ７１、Ｙｅｓ）、送受信制御部３４では、上り送信部１２および送受信部１１を介してＳＲＳ（One−shot  SRS）を送信する（Ｓ７２）。その後、ＴＡ管理部３３では、送受信部１１を介して基地局からTA  commandを受信し（Ｓ７３）、上り同期タイミングを調整する（Ｓ８）。なお、ＳＲＳ送信の要求がない場合は（Ｓ７１、Ｎｏ）、上り同期が確保できているので、処理を終了する。【０１２８】
図４１は、基地局（送信装置）における実施例６の無線通信方法（第１の上り同期補正方法）の動作を示すフローチャートである。図４１において、基地局では、送受信制御部６４が、移動局から確認応答を受信し（Ｓ２１）、その後、上り同期タイミングのずれを検出した場合に（Ｓ７４，Ｙｅｓ）、ＳＲＳの送信を、送受信部４３を介して移動局に要求する（Ｓ７５）。そして、送受信制御部６４が送受信部４３を介してＳＲＳ（One−shot  SRS）を受信後（Ｓ７６）、ＴＡ管理部６３が、上り同期タイミング補正値を算出し（Ｓ７７）、送受信部４３を介してTA  commandを送信する（Ｓ７８）。その後、基地局と移動局の間でデータ通信が行われる（Ｓ２０，Ｓ２１）。なお、上り同期タイミングのずれがない場合は（Ｓ７４、Ｎｏ）、上り同期が確保できているので、処理を終了する。【０１２９】
図４２は、移動局（受信装置）における実施例６の無線通信方法（第２の上り同期補正方法）の動作を示すフローチャートである。図４２において、移動局では、送受信制御部３４が、ＤＬデータに対する応答としてＳＣｅｌｌ上に応答確認を返信（Ｓ１０）し、その後、ＴＡ確認部３３では、基地局からTA  commandを受信したかどうかを確認する（Ｓ８１）。たとえば、TA  commandを受信した場合（Ｓ８１、Ｙｅｓ）、ＴＡ管理部３３では、上り同期タイミング補正値に基づいて上り同期タイミングを調整する（Ｓ８）。なお、TA  commandを受信しない場合は（Ｓ８１、Ｎｏ）、上り同期が確保できているので、処理を終了する。【０１３０】
図４３は、基地局（送信装置）における実施例６の無線通信方法（第２の上り同期補正方法）の動作を示すフローチャートである。図４３において、基地局では、送受信制御部６４が、移動局から確認応答を受信し（Ｓ２１）、その後、上り同期タイミングのずれを検出した場合に（Ｓ７４，Ｙｅｓ）、ＴＡ管理部６３が、以下の処理を行う。ＴＡ管理部６３では、周期的に移動局から送られてくるＳＲＳ（Periodic  SRS）に基づいて上り同期タイミング補正値を算出し（Ｓ８２，Ｓ７７）、送受信部４３を介してTA  commandを送信する（Ｓ７８）。その後、基地局と移動局の間でデータ通信が行われる（Ｓ２０，Ｓ２１）。なお、上り同期タイミングのずれがない場合は（Ｓ７４、Ｎｏ）、上り同期が確保できているので、処理を終了する。【０１３１】
図４４は、移動局（受信装置）における実施例６の無線通信方法（第３の上り同期補正方法）の動作を示すフローチャートである。図４４において、移動局では、ＲＡ管理部３１がＭｓｇ２を受信した後（Ｓ７）、続けて、送受信制御部３４が、基地局からＳＲＳ送信要求を受信する（Ｓ８３）。そして、送受信制御部３４では、上り送信部１２および送受信部１１を介してＳＲＳ（One−shot  SRS）を送信する（Ｓ７２）。その後、ＴＡ管理部３３では、送受信部１１を介して基地局からTA  commandを受信し（Ｓ７３）、上り同期タイミングを調整する（Ｓ８）。【０１３２】
図４５は、基地局（送信装置）における実施例６の無線通信方法（第３の上り同期補正方法）の動作を示すフローチャートである。図４５において、基地局では、ＲＡ管理部６１がＭｓｇ２を送信した後（Ｓ１９）、送受信制御部６４が、ＳＲＳ送信を、送受信部４３を介して移動局に要求する（Ｓ７５）。そして、送受信制御部６４が送受信部４３を介してＳＲＳ（One−shot  SRS）を受信後（Ｓ７６）、ＴＡ管理部６３が、上り同期タイミング補正値を算出し（Ｓ７７）、送受信部４３を介してTA  commandを送信する（Ｓ７８）。その後、基地局と移動局の間でデータ通信が行われる（Ｓ２０，Ｓ２１）。【０１３３】
このように、本実施例では、Ｍｓｇ１の衝突が生じ、基地局においてＭｓｇ１を正しくデコードできない場合であっても、上記の方法を実行することで、正しい上り同期タイミングを意図する移動局に通知することができる。これにより、基地局および移動局では、通信を継続することができる。
【実施例７】
【０１３４】
実施例７の無線通信方法について説明する。なお、移動局および基地局の構成は前述した実施例１と同様である。以下、実施例１〜６と異なる処理について説明する。【０１３５】
実施例３および実施例６では、Ｍｓｇ１が他の移動局と重なる場合や衝突する場合について説明した。このような重なりや衝突は、Ｍｓｇ１を送信するＰＲＡＣＨが各移動局において共通であることが要因で発生する。【０１３６】
そこで、本実施例では、たとえば、図９に示す無線通信方法（「Ｍｓｇ１とＤ−ＳＲを関連付ける無線通信方法」の一例）を実行するＰＲＡＣＨと、その他の処理を実行するＰＲＡＣＨとを分離する。図４６は、実施例７の無線通信方法の一例を示す図である。【０１３７】
従来、ＰＲＡＣＨの割り当て情報は、報知情報であるＳＩＢ２（System  Information  Block  2）で移動局に通知される。しかしながら、キャリアアグリゲーションでは、ＰＣｅｌｌについては既存のシステムと同じように、ＰＲＡＣＨはＳＩＢ２で通知されるが、ＳＣｅｌｌについては、報知情報として通知するのではなく個別シグナリングを用いて個別情報として通知される。具体的には、たとえば、実施例１に記載したようにＲＲＣ（RRC  Connection  Reconfiguration）で通知する。したがって、図９に示すような「Ｍｓｇ１とＤ−ＳＲを関連付ける無線通信方法」を移動局に適用する場合には、意図する移動局が単独で使えるＰＲＡＣＨを、個別シグナリング（図４６の「Dedicated  Signaling（ＰＲＡＣＨ）」参照）により割り当てればよい。【０１３８】
図４７は、上記専用のシグナリング（Dedicated  Signaling）の一例を示す図である。ここでは、基地局は、通信開始時に送受信される「RRC  Connection  Reconfiguration」を用いて、ＰＲＡＣＨの割り当て情報を移動局に通知する。【０１３９】
また、図４８は、上記専用のシグナリング（Dedicated  Signaling）の他の一例を示す図である。ここでは、基地局は、「MAC  Control  Element」を用いて、ＰＲＡＣＨの割り当て情報を移動局に通知する。【０１４０】
以下、実施例７の無線通信方法を各装置のフローチャートに従って説明する。なお、前述した実施例１と同様の処理については、同一のステップ（Ｓ）番号を付してその説明を省略する。ここでは、実施例１と異なる処理について説明する。また、本実施例では、一例として、パラメータＴが既に各記憶部に記憶されているものとする。【０１４１】
図４９は、移動局（受信装置）における実施例７の無線通信方法の動作を示すフローチャートである。図４９において、移動局では、送受信制御部３４が、送受信部１１を介して基地局からＰＲＡＣＨの割り当て情報（ＰＲＡＣＨ通知）を受信する（Ｓ９１）。【０１４２】
その後、Ｍｓｇ０に個別プリアンブルＩＤが含まれていない場合（Ｓ３，Ｎｏ）、ＲＡ管理部３１は、上り送信部１２および送受信部１１を介して、指定されたＳＣｅｌｌ上のＰＲＡＣＨでＭｓｇ１を送信する（Ｓ９２）。そして、Ｄ−ＳＲ管理部３２では、記憶部２３からパラメータＴを読み出し、上り送信部１２および送受信部１１を介して、ＰＣｅｌｌ上に設定されたＳＲ  ＰＵＣＣＨを用いてパラメータＴ内でＤ−ＳＲを送信する（Ｓ６）。【０１４３】
図５０は、基地局（送信装置）における実施例７の無線通信方法の動作を示すフローチャートである。図５０において、基地局では、送受信制御部６４が、送受信部４３を介して移動局へＰＲＡＣＨの割り当て情報（ＰＲＡＣＨ通知）を送信する（Ｓ９３）。【０１４４】
その後、Ｍｓｇ０に個別プリアンブルＩＤを含めずに送信した場合（Ｓ１３，Ｎｏ）、ＲＡ管理部６１は、送受信部４３を介して、自局が指定したＳＣｅｌｌ上のＰＲＡＣＨで送られてくるＭｓｇ１を受信する（Ｓ９４）。そして、Ｄ−ＳＲ管理部６２では、記憶部５３からパラメータＴを読み出し、送受信部４３を介して、ＰＣｅｌｌ上に設定されたＳＲ  ＰＵＣＣＨを用いて送られてくるＤ−ＳＲをパラメータＴ内で受信する（Ｓ１６）。【０１４５】
このように、本実施例では、図９に示す無線通信方法（「Ｍｓｇ１とＤ−ＳＲを関連付ける無線通信方法」の一例）を実行するＰＲＡＣＨと、その他の処理を実行するＰＲＡＣＨとを分離することとした。これにより、実施例３と実施例６で生じたＭｓｇ１の重なりや衝突を回避することができる。
【実施例８】
【０１４６】
実施例８の無線通信方法について説明する。なお、移動局および基地局の構成は前述した実施例１と同様である。以下、実施例１〜７と異なる処理について説明する。【０１４７】
実施例３では、Ｍｓｇ１が他の移動局と重なる場合について説明した。このような重なりは、基地局において受信した複数のＭｓｇ１がどの移動局から送信されてきたのかが判別できないために発生する。【０１４８】
そこで、本実施例では、たとえば、図９に示すような「Ｍｓｇ１とＤ−ＳＲを関連付ける無線通信方法」を実行する場合に、Ｄ−ＳＲに、送信した（する）Ｍｓｇ１の情報を載せることとする。図５１は、実施例８の無線通信方法の一例を示す図である。【０１４９】
たとえば、１つ目の方法として、移動局が、Ｍｓｇ１で６ビットのプリアンブルＩＤを送信するため、Ｄ−ＳＲにも同様に６ビットのプリアンブルＩＤを載せる（図５１の「Ｄ−ＳＲ（Preamble  ID  information）」参照）、という方法がある。【０１５０】
２つ目の方法は、図９に示すような「Ｍｓｇ１とＤ−ＳＲを関連付ける無線通信方法」を実行する場合に、利用するプリアンブルＩＤを予め指定してプリアンブルＩＤの数を制限することにより、Ｄ−ＳＲに載せるビット数を抑える、という方法である。たとえば、特定の８個にプリアンブルＩＤを制限し、各プリアンブルＩＤに対して独自の識別子を１〜８（０００〜１１１）の範囲で割り振ることにより、Ｄ−ＳＲが指し示すプリアンブルＩＤのビット数を３ビットに制限することができる。この場合、図５１の「Ｄ−ＳＲ（Preamble  ID  information）」は３ビットの情報となる、なお、上記で利用するプリアンブルＩＤの通知方法は、上記同様、たとえば、「RRC  Connection  Reconfiguration」を使って通知する（図５１の「Dedicated  Signaling（Preamble  IDs）」参照）。さらに、２つ目の方法の応用として、図９に示すような「Ｍｓｇ１とＤ−ＳＲを関連付ける無線通信方法」を実行する場合に、利用するプリアンブルＩＤを１つに固定する方法もある。この場合、Ｄ−ＳＲには、プリアンブルＩＤの情報を載せない。【０１５１】
図５２は、上記専用のシグナリング（Dedicated  Signaling）の一例を示す図である。ここでは、基地局は、通信開始時に送受信される「RRC  Connection  Reconfiguration」を用いて、プリアンブルＩＤの情報を移動局に通知する。【０１５２】
また、図５３は、上記専用のシグナリング（Dedicated  Signaling）の他の一例を示す図である。ここでは、基地局は、「MAC  Control  Element」を用いて、プリアンブルＩＤの情報を移動局に通知する。【０１５３】
以下、実施例８の無線通信方法を各装置のフローチャートに従って説明する。なお、前述した実施例１と同様の処理については、同一のステップ（Ｓ）番号を付してその説明を省略する。ここでは、実施例１と異なる処理について説明する。また、本実施例では、一例として、パラメータＴが既に各記憶部に記憶されているものとする。【０１５４】
図５４は、移動局（受信装置）における実施例８の無線通信方法の動作を示すフローチャートである。図５４において、移動局では、送受信制御部３４が、送受信部１１を介して、利用するプリアンブルＩＤに関する情報（プリアンブルＩＤ通知）を受信する（Ｓ９５）。【０１５５】
その後、Ｍｓｇ０に個別プリアンブルＩＤが含まれていない場合（Ｓ３，Ｎｏ）、ＲＡ管理部３１は、上り送信部１２および送受信部１１を介して、ＳＣｅｌｌ上のＰＲＡＣＨで、指定されたプリアンブルＩＤを含むＭｓｇ１を送信する（Ｓ９６）。また、Ｄ−ＳＲ管理部３２では、記憶部２３からパラメータＴを読み出し、上り送信部１２および送受信部１１を介して、ＰＣｅｌｌ上に設定されたＳＲ  ＰＵＣＣＨを用いてパラメータＴ内で、指定されたプリアンブルＩＤを載せたＤ−ＳＲを送信する（Ｓ９７）。または、指定されたプリアンブルＩＤを示す、たとえば、３ビットの情報を載せたＤ−ＳＲを送信する（Ｓ９７）。【０１５６】
図５５は、基地局（送信装置）における実施例８の無線通信方法の動作を示すフローチャートである。図５５において、基地局では、送受信制御部６４が、送受信部４３を介して、利用するプリアンブルＩＤに関する情報（プリアンブルＩＤ通知）を送信する（Ｓ９８）。【０１５７】
その後、Ｍｓｇ０に個別プリアンブルＩＤを含めずに送信した場合（Ｓ１３，Ｎｏ）、ＲＡ管理部６１は、送受信部４３を介してＳＣｅｌｌ上のＰＲＡＣＨで送られてくる、指定したプリアンブルＩＤを含むＭｓｇ１を受信する（Ｓ９９）。そして、Ｄ−ＳＲ管理部６２では、記憶部５３からパラメータＴを読み出し、送受信部４３を介してＰＣｅｌｌ上に設定されたＳＲ  ＰＵＣＣＨを用いて送られてくる、指定したプリアンブルＩＤを載せたＤ−ＳＲをパラメータＴ内で受信する（Ｓ１００）。または、指定されたプリアンブルＩＤを示す、たとえば、３ビットの情報を載せたＤ−ＳＲをパラメータＴ内で受信する（Ｓ１００）。【０１５８】
このように、本実施例では、Ｄ−ＳＲに、送信した（する）Ｍｓｇ１の情報を載せることとする。これにより、実施例３で生じたＭｓｇ１の重なりを回避することができる。
【符号の説明】
【０１５９】
１１，４１，４３  送受信部
１２  上り送信部
１３，４４  制御部
１４，４５  アンテナ
２０，５０  制御プレーン部
２１，５１  ＰＵＣＣＨ制御部
２２，５２  ＰＲＡＣＨ制御部
２３，５３  記憶部
３０，６０  データプレーン部
３１，６１  ＲＡ管理部
３２，６２  Ｄ−ＳＲ管理部
３３，６３  ＴＡ管理部
３４，６４  送受信制御部
４２  スケジューリング部
【図１】
2012077237.tif 000003
【図２】
2012077237.tif 000004
【図３】
2012077237.tif 000005
【図４】
2012077237.tif 000006
【図５】
2012077237.tif 000007
【図６】
2012077237.tif 000008
【図７】
2012077237.tif 000009
【図８】
2012077237.tif 000010
【図９】
2012077237.tif 000011
【図１０】
2012077237.tif 000012
【図１１】
2012077237.tif 000013
【図１２】
2012077237.tif 000014
【図１３】
2012077237.tif 000015
【図１４】
2012077237.tif 000016
【図１５】
2012077237.tif 000017
【図１６】
2012077237.tif 000018
【図１７】
2012077237.tif 000019
【図１８】
2012077237.tif 000020
【図１９】
2012077237.tif 000021
【図２０】
2012077237.tif 000022
【図２１】
2012077237.tif 000023
【図２２】
2012077237.tif 000024
【図２３】
2012077237.tif 000025
【図２４】
2012077237.tif 000026
【図２５】
2012077237.tif 000027
【図２６】
2012077237.tif 000028
【図２７】
2012077237.tif 000029
【図２８】
2012077237.tif 000030
【図２９】
2012077237.tif 000031
【図３０】
2012077237.tif 000032
【図３１】
2012077237.tif 000033
【図３２】
2012077237.tif 000034
【図３３】
2012077237.tif 000035
【図３４】
2012077237.tif 000036
【図３５】
2012077237.tif 000037
【図３６】
2012077237.tif 000038
【図３７】
2012077237.tif 000039
【図３８】
2012077237.tif 000040
【図３９】
2012077237.tif 000041
【図４０】
2012077237.tif 000042
【図４１】
2012077237.tif 000043
【図４２】
2012077237.tif 000044
【図４３】
2012077237.tif 000045
【図４４】
2012077237.tif 000046
【図４５】
2012077237.tif 000047
【図４６】
2012077237.tif 000048
【図４７】
2012077237.tif 000049
【図４８】
2012077237.tif 000050
【図４９】
2012077237.tif 000051
【図５０】
2012077237.tif 000052
【図５１】
2012077237.tif 000053
【図５２】
2012077237.tif 000054
【図５３】
2012077237.tif 000055
【図５４】
2012077237.tif 000056
【図５５】
2012077237.tif 000057
【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
複数の無線キャリアを使用して無線通信を行う無線通信システムにおいて、
受信装置が、
第１の無線チャネルのランダムアクセスチャネルでプリアンブルを送信する第１のランダムアクセス管理部と、
前記ランダムアクセスチャネルの前後において、第２の無線チャネルの制御チャネルでスケジューリングリクエストを送信する第１のスケジューリングリクエスト管理部と、
を有し、
送信装置が、
前記プリアンブルを受信する第２のランダムアクセス管理部と、
前記スケジューリングリクエストを受信する第２のスケジューリングリクエスト管理部と、
を有し、
前記第２のランダムアクセス管理部が、受信したスケジューリングリクエストとプリアンブルを関連付けることにより受信装置を識別する、
ことを特徴とする無線通信システム。
【請求項２】
前記第２のランダムアクセス管理部は、受信装置を識別する場合に、スケジューリングリクエストを送信した受信装置がプリアンブルを送信した受信装置であると判定する、
ことを特徴とする請求項１に記載の無線通信システム。
【請求項３】
前記第１のスケジューリングリクエスト管理部は、前記プリアンブルが送信されたランダムアクセスチャネルの近傍の制御チャネルでスケジューリングリクエストを送信する、
ことを特徴とする請求項１に記載の無線通信システム。
【請求項４】
前記第１のスケジューリングリクエスト管理部が、プリアンブルが送信されたランダムアクセスチャネルの前後でスケジューリングリクエストを送信する場合において、
前記第１のランダムアクセス管理部は、前記第１の無線チャネルに設定された専用のランダムアクセスチャネルでプリアンブルを送信する、
ことを特徴とする請求項１に記載の無線通信システム。
【請求項５】
前記第１のスケジューリングリクエスト管理部が、プリアンブルが送信されたランダムアクセスチャネルの前後でスケジューリングリクエストを送信する場合において、
前記第１のランダムアクセス管理部は、前記第１の無線チャネルのランダムアクセスチャネルで、指定された１つ以上のプリアンブルからプリアンブルを選択して送信する、
ことを特徴とする請求項１に記載の無線通信システム。
【請求項６】
前記第１のスケジューリングリクエスト管理部は、前記第１のランダムアクセス管理部が送信するプリアンブルの情報を含むスケジューリングリクエストを送信する、
ことを特徴とする請求項１に記載の無線通信システム。
【請求項７】
キャリアアグリゲーションにより無線通信を行う場合、
前記第１の無線チャネルをセカンダリセルとし、
前記第２の無線チャネルをプライマリーセルとする、
ことを特徴とする請求項１〜６のいずれか１つに記載の無線通信システム。
【請求項８】
複数の無線キャリアを使用してデータを受信する受信装置において、
第１の無線チャネルのランダムアクセスチャネルでプリアンブルを送信するランダムアクセス管理部と、
前記ランダムアクセスチャネルの前後において、第２の無線チャネルの制御チャネルでスケジューリングリクエストを送信するスケジューリングリクエスト管理部と、
を有する、
ことを特徴とする受信装置。
【請求項９】
前記スケジューリングリクエスト管理部は、前記プリアンブルが送信されたランダムアクセスチャネルの近傍の制御チャネルでスケジューリングリクエストを送信する、
ことを特徴とする請求項８に記載の受信装置。
【請求項１０】
プリアンブルを送信するためのトリガとなる制御信号であって、プリアンブルが送信されたランダムアクセスチャネルの近傍の制御チャネルでスケジューリングリクエストを送信するか否かを示す情報である所定のアドレス情報でマスクされた制御信号、を受信した場合に、
前記スケジューリングリクエスト管理部は、前記アドレス情報に基づいて、プリアンブルが送信されたランダムアクセスチャネルの近傍の制御チャネルでスケジューリングリクエストを送信するか否かを判断する、
ことを特徴とする請求項９に記載の受信装置。
【請求項１１】
前記スケジューリングリクエスト管理部が、プリアンブルが送信されたランダムアクセスチャネルの前後でスケジューリングリクエストを送信する場合において、
前記ランダムアクセス管理部は、前記第１の無線チャネルに設定された専用のランダムアクセスチャネルでプリアンブルを送信する、
ことを特徴とする請求項８に記載の受信装置。
【請求項１２】
前記スケジューリングリクエスト管理部が、プリアンブルが送信されたランダムアクセスチャネルの前後でスケジューリングリクエストを送信する場合において、
前記ランダムアクセス管理部は、前記第１の無線チャネルのランダムアクセスチャネルで、指定された１つ以上のプリアンブルからプリアンブルを選択して送信する、
ことを特徴とする請求項８に記載の受信装置。
【請求項１３】
前記スケジューリングリクエスト管理部は、前記ランダムアクセス管理部が送信するプリアンブルの情報を含むスケジューリングリクエストを送信する、
ことを特徴とする請求項８に記載の受信装置。
【請求項１４】
キャリアアグリゲーションにより無線通信を行う場合、
前記第１の無線チャネルをセカンダリセルとし、
前記第２の無線チャネルをプライマリーセルとする、
ことを特徴とする請求項８〜１３のいずれか１つに記載の受信装置。
【請求項１５】
複数の無線キャリアを使用してデータを送信する送信装置において、
第１の無線チャネルのランダムアクセスチャネルでプリアンブルを受信するランダムアクセス管理部と、
前記ランダムアクセスチャネルの前後において、第２の無線チャネルの制御チャネルでスケジューリングリクエストを受信するスケジューリングリクエスト管理部と、
を有し、
前記ランダムアクセス管理部が、受信したスケジューリングリクエストとプリアンブルを関連付けることにより受信装置を識別する、
ことを特徴とする送信装置。
【請求項１６】
前記第ランダムアクセス管理部は、受信装置を識別する場合に、スケジューリングリクエストを送信した受信装置がプリアンブルを送信した受信装置であると判定する、
ことを特徴とする請求項１５に記載の送信装置。
【請求項１７】
複数の無線キャリアを使用して無線通信を行う無線通信システムにおける無線通信方法であって、
受信装置が、第１の無線チャネルのランダムアクセスチャネルでプリアンブルを送信し、
前記受信装置が、前記ランダムアクセスチャネルの前後において、第２の無線チャネルの制御チャネルでスケジューリングリクエストを送信し、
送信装置が、前記プリアンブルを受信し、
前記送信装置が、前記スケジューリングリクエストを受信し、当該スケジューリングリクエストと前記プリアンブルを関連付けることにより受信装置を識別する、
ことを特徴とする無線通信方法。
【国際調査報告】
2012077237.tif 000058
2012077237.tif 000059
2012077237.tif 000060
2012077237.tif 000061